(57)【要約】【課題】走査パルス電圧を高くすることなく、安定した書込み放電を発生させる。【解決手段】パネルの表示領域を少なくとも３つの領域に分け、１つの領域に含まれる複数の走査電極を１つの走査電極群として走査電極を少なくとも３つの走査電極群に分け、１つのサブフィールドにおいて、全ての走査電極に同じ駆動波形を印加する１相駆動動作と、走査電極群毎に異なる駆動波形を印加する多相駆動動作とを選択的に行い、多相駆動動作時には、第１の走査電極群への書込み動作終了後かつ第２の走査電極群への書込み動作開始前に第２の走査電極群に下り傾斜波形電圧を印加し、第２の走査電極群への書込み動作終了後かつ第３の走査電極群への書込み動作開始前に第３の走査電極群に下り傾斜波形電圧を印加するように、書込み期間に走査電極群の数に応じた数の下り傾斜波形電圧を発生させる。【選択図】図８
2009163021.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを１フィールド期間内に複数設けるとともに、前記初期化期間において緩やかに下降する下り傾斜波形電圧を発生させて前記走査電極を駆動する走査電極駆動回路とを備え、
前記走査電極駆動回路は、
前記プラズマディスプレイパネルの表示領域を少なくとも３つの領域に分け、１つの前記領域に含まれる複数の前記走査電極を１つの走査電極群として前記走査電極を少なくとも３つの走査電極群に分け、１つのサブフィールドにおいて、全ての走査電極に同じ駆動波形を印加する１相駆動動作と、前記走査電極群毎に異なる駆動波形を印加する多相駆動動作とを選択的に行い、
前記多相駆動動作時には、
第１の走査電極群への書込み動作終了後であり、かつ第２の走査電極群への書込み動作開始前に前記第２の走査電極群に前記下り傾斜波形電圧を印加し、
前記第２の走査電極群への書込み動作終了後であり、かつ第３の走査電極群への書込み動作開始前に前記第３の走査電極群に前記下り傾斜波形電圧を印加するように、
前記書込み期間に前記走査電極群の数に応じた数の前記下り傾斜波形電圧を発生させることを特徴とするプラズマディスプレイ装置。
【請求項２】
前記走査電極駆動回路は、前記下り傾斜波形電圧における最低電圧を、電圧値の異なる複数の電圧で切換えて発生させるとともに、
前記多相駆動動作時の前記初期化期間においては、
前記書込み期間に最初に書込みを行う前記走査電極群を除く前記走査電極群の各走査電極に印加する前記下り傾斜波形電圧の最低電圧を、前記書込み期間に最初に書込みを行う前記走査電極群の各走査電極に印加する前記下り傾斜波形電圧の最低電圧よりも高くして前記下り傾斜波形電圧を発生させることを特徴とする請求項１に記載のプラズマディスプレイ装置。
【請求項３】
前記走査電極駆動回路は、前記維持期間に、サブフィールド毎に設定された輝度重みに応じた回数の維持パルスを発生させ、
前記輝度重みに応じて前記１相駆動動作と前記多相駆動動作とを切換えることを特徴とする請求項２に記載のプラズマディスプレイ装置。
【請求項４】
画像信号の平均輝度レベルを検出するＡＰＬ検出回路を備え、
前記走査電極駆動回路は、前記ＡＰＬ検出回路により検出された平均輝度レベルに応じて、前記プラズマディスプレイパネルの表示領域の分割数を変更して前記走査電極群の数を変更し前記多相駆動動作の相の数を変更することを特徴とする請求項２に記載のプラズマディスプレイ装置。
【請求項５】
前記走査電極駆動回路は、前記多相駆動動作を行う際に、前記プラズマディスプレイパネルの表示領域を２つの領域に分割し前記走査電極群の数を２つにして行う２相駆動動作と、前記プラズマディスプレイパネルの表示領域を３つ以上の領域に分割して前記走査電極群の数を３つ以上とし、３相以上で行う多相駆動動作との少なくとも２種類の多相駆動動作を切換えて前記走査電極を駆動するとともに、前記ＡＰＬ検出回路により検出された平均輝度レベルに応じて、前記少なくとも２種類の多相駆動動作を切換えて前記走査電極を駆動することを特徴とする請求項４に記載のプラズマディスプレイ装置。
【請求項６】
走査電極と維持電極とからなる表示電極対を有する放電セルを複数備えたプラズマディスプレイパネルを、
初期化期間と書込み期間と維持期間とを有するサブフィールドを１フィールド期間内に複数設けるとともに、前記初期化期間において緩やかに下降する下り傾斜波形電圧を発生させて前記走査電極を駆動するプラズマディスプレイパネルの駆動方法であって、
前記プラズマディスプレイパネルの表示領域を少なくとも３つの領域に分け、１つの前記領域に含まれる複数の前記走査電極を１つの走査電極群として前記走査電極を少なくとも３つの走査電極群に分け、１つのサブフィールドにおいて、全ての走査電極に同じ駆動波形を印加する１相駆動動作と、前記走査電極群毎に異なる駆動波形を印加する多相駆動動作とを選択的に行い、
前記多相駆動動作時には、
第１の走査電極群への書込み動作終了後であり、かつ第２の走査電極群への書込み動作開始前に前記第２の走査電極群に前記下り傾斜波形電圧を印加し、
前記第２の走査電極群への書込み動作終了後であり、かつ第３の走査電極群への書込み動作開始前に前記第３の走査電極群に前記下り傾斜波形電圧を印加するように、
前記書込み期間に前記走査電極群の数に応じた数の前記下り傾斜波形電圧を発生させることを特徴とするプラズマディスプレイパネルの駆動方法。
【請求項７】
前記下り傾斜波形電圧における最低電圧を、電圧値の異なる複数の電圧で切換えて発生させるとともに、
前記多相駆動動作時の前記初期化期間においては、
前記書込み期間に最初に書込みを行う前記走査電極群を除く前記走査電極群の各走査電極に印加する前記下り傾斜波形電圧の最低電圧を、前記書込み期間に最初に書込みを行う前記走査電極群の各走査電極に印加する前記下り傾斜波形電圧の最低電圧よりも高くして前記下り傾斜波形電圧を発生させることを特徴とする請求項６に記載のプラズマディスプレイパネルの駆動方法。
【請求項８】
前記維持期間に、サブフィールド毎に設定された輝度重みに応じた回数の維持パルスを発生させ、
前記輝度重みに応じて前記１相駆動動作と前記多相駆動動作とを切換えることを特徴とする請求項７に記載のプラズマディスプレイパネルの駆動方法。
【請求項９】
画像信号の平均輝度レベルを検出し、
検出された前記平均輝度レベルに応じて、前記プラズマディスプレイパネルの表示領域の分割数を変更して前記走査電極群の数を変更し前記多相駆動動作の相の数を変更することを特徴とする請求項７に記載のプラズマディスプレイパネルの駆動方法。
【請求項１０】
前記多相駆動動作を行う際に、前記プラズマディスプレイパネルの表示領域を２つの領域に分割し前記走査電極群の数を２つにして行う２相駆動動作と、前記プラズマディスプレイパネルの表示領域を３つ以上の領域に分割して前記走査電極群の数を３つ以上とし、３相以上で行う多相駆動動作との少なくとも２種類の多相駆動動作を切換えて前記走査電極を駆動するとともに、検出された前記平均輝度レベルに応じて、前記少なくとも２種類の多相駆動動作を切換えて前記走査電極を駆動することを特徴とする請求項９に記載のプラズマディスプレイパネルの駆動方法。
【発明の詳細な説明】
【技術分野】
【０００１】
本発明は、壁掛けテレビや大型モニターに用いられるプラズマディスプレイ装置およびプラズマディスプレイパネルの駆動方法に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては一般にサブフィールド法が用いられている（例えば、特許文献１参照）。サブフィールド法では、１フィールド期間を複数のサブフィールドに分割し、それぞれのサブフィールドで各放電セルを発光または非発光させることにより階調表示を行う。各サブフィールドは、初期化期間、書込み期間および維持期間を有する。
【０００４】
初期化期間では、各走査電極に初期化波形を印加し、各放電セルで初期化放電を発生させる。それにより、各放電セルにおいて、続く書込み動作のために必要な壁電荷を形成する。
【０００５】
書込み期間では、走査電極に順次走査パルスを印加（以下、この動作を「走査」とも記す）するとともに、データ電極には表示すべき画像信号に対応した書込みパルスを印加する（以下、これらの動作を総称して「書込み」とも記す）。それにより、走査電極とデータ電極との間で選択的に書込み放電を発生させ、選択的を壁電荷を形成する。
【０００６】
続く維持期間では、表示させるべき輝度に応じた所定の回数の維持パルスを走査電極と維持電極とからなる表示電極対に交互に印加する。それにより、書込み放電による壁電荷形成が行われた放電セルで選択的に放電を起こし、その放電セルを発光させる。これにより画像表示を行う。
【０００７】
複数の走査電極は走査電極駆動回路により駆動され、複数の維持電極は維持電極駆動回路により駆動され、複数のデータ電極はデータ電極駆動回路により駆動される。
【特許文献１】特開２００６−１８２９８号公報
【発明の開示】
【発明が解決しようとする課題】
【０００８】
書込み期間では、上述したように、複数の走査電極に走査パルスを順次印加して走査を行う。したがって、複数の放電セルのうち走査パルスが印加される順番が遅い放電セルにおいては、初期化波形が印加されてから走査パルスが印加されるまでの時間が長くなる。
【０００９】
初期化放電よって放電セルに形成された壁電荷は、他の放電セルに書込み放電を発生させるためにデータ電極に印加される書込みパルスの影響を受けて徐々に減少する。そのため、走査パルスが印加される順番が遅い放電セルにおいては、その放電セルに走査パルスおよび書込みパルスが印加されるまでに壁電荷が減少し、書込み放電の放電不良が発生する場合がある。特に、高精細化されたパネルにおいては、走査電極数の増加により走査に費やす時間がさらに長くなってしまうため、書込み期間の最後の方に書込みがなされる放電セルにおける壁電荷の減少はさらに大きくなり、書込み放電が不安定になりやすい。
【００１０】
放電を安定に発生させるためには、電極に印加する駆動電圧を上げればよいが、これは、消費電力を増大させる一因となる。
【００１１】
本発明は、これらの課題に鑑みなされたものであり、大画面化、高精細化されたパネルにおいても、走査パルス電圧（振幅）を大きくすることなく、安定した書込み放電を発生させることが可能なプラズマディスプレイ装置およびパネルの駆動方法を提供することを目的とする。
【課題を解決するための手段】
【００１２】
本発明のプラズマディスプレイ装置は、走査電極と維持電極とからなる表示電極対を有する放電セルを複数備えたパネルと、初期化期間と書込み期間と維持期間とを有するサブフィールドを１フィールド期間内に複数設けるとともに、初期化期間において緩やかに下降する下り傾斜波形電圧を発生させて走査電極を駆動する走査電極駆動回路とを備え、走査電極駆動回路は、パネルの表示領域を少なくとも３つの領域に分け、１つの領域に含まれる複数の走査電極を１つの走査電極群として走査電極を少なくとも３つの走査電極群に分け、１つのサブフィールドにおいて、全ての走査電極に同じ駆動波形を印加する１相駆動動作と、走査電極群毎に異なる駆動波形を印加する多相駆動動作とを選択的に行い、多相駆動動作時には、第１の走査電極群への書込み動作終了後かつ第２の走査電極群への書込み動作開始前に第２の走査電極群に下り傾斜波形電圧を印加し、第２の走査電極群への書込み動作終了後かつ第３の走査電極群への書込み動作開始前に第３の走査電極群に下り傾斜波形電圧を印加するように、書込み期間に走査電極群の数に応じた数の下り傾斜波形電圧を発生させることを特徴とする。
【００１３】
これにより、走査電極群により構成される放電セル群毎に、書込み動作を開始する前に下り傾斜波形電圧による初期化放電を発生させることができるので、大画面化、高精細化されたパネルにおいても、走査パルス電圧（振幅）を大きくすることなく、安定した書込み放電を発生させることが可能となる。
【００１４】
また、このプラズマディスプレイ装置において、走査電極駆動回路は、下り傾斜波形電圧における最低電圧を、電圧値の異なる複数の電圧で切換えて発生させるとともに、多相駆動動作時の初期化期間においては、書込み期間に最初に書込みを行う走査電極群を除く走査電極群の各走査電極に印加する下り傾斜波形電圧の最低電圧を、書込み期間に最初に書込みを行う走査電極群の各走査電極に印加する下り傾斜波形電圧の最低電圧よりも高くして下り傾斜波形電圧を発生させることを特徴とする。これにより、書込み動作を開始する前に下り傾斜波形電圧により発生させる初期化放電を、安定して発生させることが可能となる。
【００１５】
また、このプラズマディスプレイ装置において、走査電極駆動回路は、維持期間に、サブフィールド毎に設定された輝度重みに応じた回数の維持パルスを発生させ、輝度重みに応じて１相駆動動作と多相駆動動作とを切換える構成としてもよい。これにより、書込み期間に要する時間を抑えつつ、安定した書込み動作を行うことが可能となる。
【００１６】
また、このプラズマディスプレイ装置は、画像信号の平均輝度レベルを検出するＡＰＬ検出回路を備え、走査電極駆動回路は、ＡＰＬ検出回路により検出された平均輝度レベルに応じて、パネルの表示領域の分割数を変更して走査電極群の数を変更し多相駆動動作の相の数を変更する構成としてもよい。これにより、画像信号の平均輝度レベルに応じた駆動ができるようになるので、画像信号の平均輝度レベルに応じて輝度倍率を変更するような駆動を行うプラズマディスプレイ装置においても、書込み期間に要する時間を抑えつつ、安定した書込み動作を行うことが可能となる。
【００１７】
また、このプラズマディスプレイ装置において、走査電極駆動回路は、多相駆動動作を行う際に、パネルの表示領域を２つの領域に分割し走査電極群の数を２つにして行う２相駆動動作と、パネルの表示領域を３つ以上の領域に分割して走査電極群の数を３つ以上とし、３相以上で行う多相駆動動作との少なくとも２種類の多相駆動動作を切換えて走査電極を駆動するとともに、ＡＰＬ検出回路により検出された平均輝度レベルに応じて、少なくとも２種類の多相駆動動作を切換えて走査電極を駆動する構成としてもよい。これにより、画像信号の平均輝度レベルに応じた駆動をより細かく制御できるようになり、画像信号の平均輝度レベルに応じて輝度倍率を変更するような駆動を行うプラズマディスプレイ装置においても、書込み期間に要する時間を抑えつつ、安定した書込み動作を行うことが可能となる。
【００１８】
また、本発明のパネルの駆動方法は、走査電極と維持電極とからなる表示電極対を有する放電セルを複数備えたパネルを、初期化期間と書込み期間と維持期間とを有するサブフィールドを１フィールド期間内に複数設けるとともに、初期化期間において緩やかに下降する下り傾斜波形電圧を発生させて走査電極を駆動するパネルの駆動方法であって、パネルの表示領域を少なくとも３つの領域に分け、１つの領域に含まれる複数の走査電極を１つの走査電極群として走査電極を少なくとも３つの走査電極群に分け、１つのサブフィールドにおいて、全ての走査電極に同じ駆動波形を印加する１相駆動動作と、走査電極群毎に異なる駆動波形を印加する多相駆動動作とを選択的に行い、多相駆動動作時には、第１の走査電極群への書込み動作終了後かつ第２の走査電極群への書込み動作開始前に第２の走査電極群に下り傾斜波形電圧を印加し、第２の走査電極群への書込み動作終了後かつ第３の走査電極群への書込み動作開始前に第３の走査電極群に下り傾斜波形電圧を印加するように、書込み期間に走査電極群の数に応じた数の下り傾斜波形電圧を発生させることを特徴とする。
【００１９】
これにより、走査電極群により構成される放電セル群毎に、書込み動作を開始する前に下り傾斜波形電圧による初期化放電を発生させることができるので、大画面化、高精細化されたパネルにおいても、走査パルス電圧（振幅）を大きくすることなく、安定した書込み放電を発生させることが可能となる。
【００２０】
また、本発明のパネルの駆動方法は、下り傾斜波形電圧における最低電圧を、電圧値の異なる複数の電圧で切換えて発生させるとともに、多相駆動動作時の初期化期間においては、書込み期間に最初に書込みを行う走査電極群を除く走査電極群の各走査電極に印加する下り傾斜波形電圧の最低電圧を、書込み期間に最初に書込みを行う走査電極群の各走査電極に印加する下り傾斜波形電圧の最低電圧よりも高くして下り傾斜波形電圧を発生させることを特徴とする。これにより、書込み動作を開始する前に下り傾斜波形電圧により発生させる初期化放電を、安定して発生させることが可能となる。
【００２１】
また、本発明のパネルの駆動方法は、維持期間に、サブフィールド毎に設定された輝度重みに応じた回数の維持パルスを発生させ、輝度重みに応じて１相駆動動作と多相駆動動作とを切換えてもよい。これにより、書込み期間に要する時間を抑えつつ、安定した書込み動作を行うことが可能となる。これにより、画像信号の平均輝度レベルに応じた駆動ができるようになるので、書込み期間に要する時間を抑えつつ、安定した書込み動作を行うことが可能となる。
【００２２】
また、本発明のパネルの駆動方法は、画像信号の平均輝度レベルを検出し、検出された平均輝度レベルに応じて、パネルの表示領域の分割数を変更して走査電極群の数を変更し多相駆動動作の相の数を変更してもよい。これにより、画像信号の平均輝度レベルに応じた駆動ができるようになるので、画像信号の平均輝度レベルに応じて輝度倍率を変更するような駆動を行うプラズマディスプレイ装置においても、書込み期間に要する時間を抑えつつ、安定した書込み動作を行うことが可能となる。
【００２３】
また、本発明のパネルの駆動方法は、多相駆動動作を行う際に、パネルの表示領域を２つの領域に分割し走査電極群の数を２つにして行う２相駆動動作と、パネルの表示領域を３つ以上の領域に分割して走査電極群の数を３つ以上とし、３相以上で行う多相駆動動作との少なくとも２種類の多相駆動動作を切換えて走査電極を駆動するとともに、検出された平均輝度レベルに応じて、少なくとも２種類の多相駆動動作を切換えて走査電極を駆動してもよい。これにより、画像信号の平均輝度レベルに応じた駆動をより細かく制御できるようになり、画像信号の平均輝度レベルに応じて輝度倍率を変更するような駆動を行うプラズマディスプレイ装置においても、書込み期間に要する時間を抑えつつ、安定した書込み動作を行うことが可能となる。
【発明の効果】
【００２４】
本発明によれば、大画面化、高精細化されたパネルにおいても、走査パルス電圧（振幅）を大きくすることなく、安定した書込み放電を発生させることができるプラズマディスプレイ装置およびパネルの駆動方法を提供することが可能となる。
【発明を実施するための最良の形態】
【００２５】
以下、本発明の実施の形態におけるプラズマディスプレイ装置について、図面を用いて説明する。
【００２６】
（実施の形態１）
図１は、本発明の実施の形態１におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００２７】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２８】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２９】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。
【００３０】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００３１】
図２は、本発明の実施の形態１におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００３２】
次に、本実施の形態におけるプラズマディスプレイ装置の構成について説明する。図３は、本発明の実施の形態１におけるプラズマディスプレイ装置１の回路ブロック図である。プラズマディスプレイ装置１は、パネル１０、画像信号処理回路４１、データ電極駆動回路４２、走査電極駆動回路４３、維持電極駆動回路４４、タイミング発生回路４５、および各回路ブロックに必要な電源を供給する電源回路（図示せず）を備えている。
【００３３】
画像信号処理回路４１は、パネル１０の画素数に応じて、入力された画像信号ｓｉｇをサブフィールド毎の発光・非発光を示す画像データに変換する。
【００３４】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００３５】
タイミング発生回路４５は、水平同期信号Ｈおよび垂直同期信号Ｖにもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【００３６】
走査電極駆動回路４３は、初期化期間において走査電極ＳＣ１〜走査電極ＳＣｎに印加する初期化波形を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルスを発生するための走査パルス発生回路５２を有する。そして、タイミング信号にもとづいて各走査電極ＳＣ１〜走査電極ＳＣｎをそれぞれ駆動する。
【００３７】
維持電極駆動回路４４は、維持パルス発生回路（図示せず）を備え、タイミング信号にもとづいて維持電極ＳＵ１〜維持電極ＳＵｎを駆動する。
【００３８】
なお、走査電極駆動回路４３は、後述するように、１つのサブフィールド期間において全ての走査電極ＳＣ１〜走査電極ＳＣｎに対して同じ駆動波形を印加する１相駆動動作、および、走査電極ＳＣ１〜走査電極ＳＣｎを複数の走査電極群に分けて走査電極群毎に異なる駆動波形を印加する多相駆動動作を選択的に行うことができる。
【００３９】
また、タイミング発生回路４５は、１相駆動動作のためのタイミング信号および多相駆動動作のためのタイミング信号を選択的に発生し、発生したタイミング信号を走査電極駆動回路４３へ供給する。それにより、走査電極駆動回路４３は、走査電極ＳＣ１〜走査電極ＳＣｎを１相駆動動作または多相駆動動作により駆動する。
【００４０】
次に、走査電極駆動回路４３について説明する。図４は、本発明の実施の形態１における走査電極駆動回路４３の回路図である。走査電極駆動回路４３は、維持パルスを発生させる維持パルス発生回路５０、初期化波形を発生させる初期化波形発生回路５１、走査パルスを発生させる走査パルス発生回路５２を備え、走査パルス発生回路５２のそれぞれの出力はパネル１０の走査電極ＳＣ１〜走査電極ＳＣｎのそれぞれに接続されている。なお、図４には、スイッチング素子Ｑ４を用いた分離回路を示している。また、以下の説明においてスイッチング素子を導通させる動作を「オン」、遮断させる動作を「オフ」と表記し、スイッチング素子をオンさせる信号を「「Ｈｉ」」、オフさせる信号を「「Ｌｏ」」と表記する。
【００４１】
維持パルス発生回路５０は、一般に用いられている電力回収回路（図示せず）とクランプ回路（図示せず）とを備え、タイミング発生回路４５から出力されるタイミング信号にもとづき内部に備えた各スイッチング素子を切換えて維持パルスを発生させる。また、上昇する傾斜波形電圧を発生させるためのミラー積分回路（図示せず）を備え、維持期間の最後に、後述する消去ランプ波形を発生させる。
【００４２】
初期化波形発生回路５１は、スイッチング素子Ｑ１とコンデンサＣ１と抵抗Ｒ１とを有し走査パルス発生回路５２の基準電位Ａをランプ状に上昇させるミラー積分回路５３、スイッチング素子Ｑ２とコンデンサＣ２と抵抗Ｒ２とを有し走査パルス発生回路５２の基準電位Ａをランプ状に降下させるミラー積分回路５４を備えている。そして、ミラー積分回路５３は初期化動作時に上昇する傾斜波形電圧を発生し、ミラー積分回路５４は初期化動作時に下降する傾斜波形電圧を発生する。なお、図４には、ミラー積分回路５３の入力端子を入力端子ＩＮ１、ミラー積分回路５４の入力端子を入力端子ＩＮ２として示している。
【００４３】
なお、ここでは、初期化波形発生回路５１に、実用的であり比較的構成が簡単なＦＥＴを用いたミラー積分回路を採用しているが、本実施の形態は何らこの構成に限定されるものではなく、基準電位Ａをランプ状に上昇または降下させることができる回路であればどのような回路であってもよい。
【００４４】
走査パルス発生回路５２は、走査電極ＳＣ１〜走査電極ＳＣｎのそれぞれに走査パルスを出力する複数の走査ＩＣ５５（ここでは、走査ＩＣ（１）〜走査ＩＣ（１２））と、書込み期間において基準電位Ａを負の電圧Ｖａに接続するためのスイッチング素子Ｑ５と、電圧Ｖａに電圧Ｖｓｃｎを重畳した電圧Ｖｃを走査ＩＣ５５の高電圧側に印加するためのダイオードＤ３１およびコンデンサＣ３１と、２つの入力端子に入力される入力信号の大小を比較する比較器ＣＰ１および比較器ＣＰ２と、比較器ＣＰ１の一方の入力端子に電圧（Ｖａ＋Ｖｓｅｔ２）を印加するためのスイッチング素子ＳＷ１と、比較器ＣＰ１の一方の入力端子に電圧（Ｖａ＋Ｖｓｅｔ３）を印加するためのスイッチング素子ＳＷ２と、比較器ＣＰ１の一方の入力端子に電圧（Ｖａ＋Ｖｓｅｔ４）を印加するためのスイッチング素子ＳＷ３と、比較器ＣＰ２の一方の入力端子に電圧Ｖｓｅｔ５を印加するためのスイッチング素子ＳＷ４とを備えている。なお、比較器ＣＰ１の他方の入力端子および比較器ＣＰ２の他方の入力端子は、それぞれ基準電位Ａに接続されている。
【００４５】
走査ＩＣ５５は、低電圧側の入力端子である入力端子ＩＮａと高電圧側の入力端子である入力端子ＩＮｂとの２つの入力端子を有し、制御信号にもとづき、２つの入力端子に入力される信号のいずれかを出力する。そして、走査ＩＣ５５のそれぞれには、制御信号として、書込み期間においてタイミング発生回路４５から出力される走査開始信号ＳＩＤ（ここでは、走査開始信号ＳＩＤ（１））、制御信号ＳＥＬ（ここでは、制御信号ＳＥＬ（１）〜制御信号ＳＥＬ（１２））、制御信号ＯＣ１、および、比較器ＣＰ１から出力される制御信号ＯＣ２、比較器ＣＰ２から出力される制御信号ＯＣ３が入力される。
【００４６】
走査開始信号ＳＩＤ、制御信号ＯＣ１は、走査ＩＣ５５に動作を開始させるための信号である。例えば、走査ＩＣ（１）から走査パルスを出力させる場合、タイミング発生回路４５は、制御信号ＯＣ１を「Ｌｏ」（例えば、０（Ｖ））にするとともに、走査開始信号ＳＩＤ（１）を「Ｌｏ」から「Ｈｉ」（例えば、５（Ｖ））に変化させ、走査ＩＣ（１）に動作の開始を指示する。走査ＩＣ（１）は、走査開始信号ＳＩＤ（１）の電圧変化を検知して動作を開始し、これにより走査ＩＣ（１）は走査ＩＣ（１）に接続された走査電極（例えば、走査電極ＳＣ１〜走査電極ＳＣ９０）に印加する走査パルス電圧Ｖａを順次発生させる。走査ＩＳ（１）は、走査電極ＳＣ９０への走査が終了した後、シフトレジスター等を使って走査開始信号ＳＩＤ（１）を遅延させて作成した走査開始信号ＳＩＤ（２）を出力し、次段の走査ＩＣ（２）に供給する。なお、タイミング発生回路４５から走査開始信号ＳＩＤ（２）を出力させる構成としてもかまわない。この走査開始信号ＳＩＤ（２）により、走査ＩＣ（２）は動作を開始する。以降、同様に、走査開始信号ＳＩＤ（ｎ）が入力される走査ＩＣ（ｎ）の動作が開始される。
【００４７】
制御信号ＳＥＬ、制御信号ＯＣ２、制御信号ＯＣ３は、走査ＩＣ５５の動作状態を切換えるための制御信号である。制御信号ＯＣ２は比較器ＣＰ１から出力される。比較器ＣＰ１は、スイッチング素子ＳＷ１がオン、スイッチング素子ＳＷ２およびスイッチング素子ＳＷ３がオフのときには電圧（Ｖａ＋Ｖｓｅｔ２）と基準電位Ａとを比較する。スイッチング素子ＳＷ２がオン、スイッチング素子ＳＷ１およびスイッチング素子ＳＷ３がオフのときには電圧（Ｖａ＋Ｖｓｅｔ３）と基準電位Ａとを比較する。スイッチング素子ＳＷ３がオン、スイッチング素子ＳＷ１およびスイッチング素子ＳＷ２がオフのときには電圧（Ｖａ＋Ｖｓｅｔ４）と基準電位Ａとを比較する。そして、基準電位Ａの方が高い場合には「Ｌｏ」を、それ以外では「Ｈｉ」を、制御信号ＯＣ２として出力し、走査ＩＣ５５に入力する。走査ＩＣ５５は、制御信号ＳＥＬが「Ｌｏ」であれば、制御信号ＯＣ２にもとづき動作し、制御信号ＯＣ２が「Ｌｏ」であれば入力端子ＩＮａに入力される信号を出力し、制御信号ＯＣ２が「Ｈｉ」であれば入力端子ＩＮｂに入力される信号を出力する。
【００４８】
制御信号ＯＣ３は比較器ＣＰ２から出力される。比較器ＣＰ２は、スイッチング素子ＳＷ４がオンのときに電圧（Ｖａ＋Ｖｓｅｔ５）と基準電位Ａとを比較し、基準電位Ａの方が高い場合には「Ｌｏ」を、それ以外では「Ｈｉ」を、制御信号ＯＣ３として出力し、走査ＩＣ５５に入力する。そして、走査ＩＣ５５は、制御信号ＳＥＬが「Ｈｉ」であれば、制御信号ＯＣ３にもとづき動作し、制御信号ＯＣ３が「Ｌｏ」から「Ｈｉ」になった時点の出力電圧を保持して出力する。
【００４９】
そして、走査ＩＣ５５は、この制御信号ＳＥＬ、制御信号ＯＣ２、制御信号ＯＣ３により、下降する傾斜波形電圧の最低電圧を、電圧値の異なる複数の電圧で切換えて発生させることができる。なお、スイッチング素子ＳＷ１〜スイッチング素子ＳＷ４のオン／オフ、制御信号ＳＥＬは、タイミング発生回路４５によって制御される。
【００５０】
また、走査パルス発生回路５２は、初期化期間では初期化波形発生回路５１の電圧波形を出力し、維持期間では維持パルス発生回路５０の電圧波形を出力するように、タイミング発生回路４５によって制御される。
【００５１】
図５は、本発明の実施の形態１における走査電極駆動回路４３の走査ＩＣ５５と走査電極ＳＣ１〜走査電極ＳＣｎとの接続の様子を示す概略図である。なお、図５では、走査ＩＣ以外の回路は省略している。
【００５２】
走査パルス発生回路５２は、ｎ本の走査電極ＳＣ１〜走査電極ＳＣｎのそれぞれに走査パルス電圧を印加するためのスイッチング素子ＱＨ１〜スイッチング素子ＱＨｎおよびスイッチング素子ＱＬ１〜スイッチング素子ＱＬｎを備えている。スイッチング素子ＱＨ１〜スイッチング素子ＱＨｎ、スイッチング素子ＱＬ１〜スイッチング素子ＱＬｎは複数の出力毎にまとめられＩＣ化されている。このＩＣが走査ＩＣ５５である。
【００５３】
なお、ここでは、９０出力分のスイッチング素子を１つのモノシリックＩＣとして集積し、パネル１０は１０８０本の走査電極を備えているものとする。すなわち、１２石の走査ＩＣ（１）〜走査ＩＣ（１２）を用いて走査パルス発生回路５２を構成し、ｎ＝１０８０本の走査電極ＳＣ１〜走査電極ＳＣｎを駆動するものとする。このように多数のスイッチング素子ＱＨ１〜スイッチング素子ＱＨｎ、スイッチング素子ＱＬ１〜スイッチング素子ＱＬｎをＩＣ化することにより部品点数を削減し、実装面積を低減することができる。ただし、ここに挙げた数値は単なる一例であり、本発明は何らこれらの数値に限定されるものではない。
【００５４】
そして、書込み動作時には、まず、走査電極ＳＣ１〜走査電極ＳＣ９０に接続された走査ＩＣ（１）を動作させ、その後に、走査電極ＳＣ９１〜走査電極ＳＣ１８０に接続された走査ＩＣ（２）を動作させ、以降、走査ＩＣ（３）から走査ＩＣ（１２）までを順次動作させる。
【００５５】
走査ＩＣ（１）は、制御信号ＯＣ１が「Ｌｏ」に維持されたまま、走査開始信号ＳＩＤ（１）が「Ｌｏ」から「Ｈｉ」に変化すると、次の動作を開始する。まず、スイッチング素子ＱＨ１をオフ、スイッチング素子ＱＬ１をオンにし、スイッチング素子ＱＬ１を経由して走査電極ＳＣ１に走査パルス電圧Ｖａを印加する。走査電極ＳＣ１での書込みが終了した後は、スイッチング素子ＱＨ１をオン、スイッチング素子ＱＬ１をオフにし、引き続き、スイッチング素子ＱＨ２をオフ、スイッチング素子ＱＬ２をオンにし、スイッチング素子ＱＬ２を経由して走査電極ＳＣ２に走査パルス電圧Ｖａを印加する。走査ＩＣ（１）はこの一連の動作を順次行い、走査電極ＳＣ１〜走査電極ＳＣ９０に順次走査パルス電圧Ｖａを印加して、動作を終了する。
【００５６】
以降、制御信号ＯＣ１を「Ｌｏ」に維持したまま、走査開始信号ＳＩＤ（３）〜走査開始信号ＳＩＤ（１２）を順次「Ｌｏ」から「Ｈｉ」に変化させることで、走査ＩＣ（３）〜走査ＩＣ（１２）から、順次走査パルスを出力させることができる。なお、本実施の形態では、走査ＩＣ（ｎ−１）は、走査ＩＣ（ｎ−１）に入力される走査開始信号ＳＩＤ（ｎ−１）を、シフトレジスター等を使って遅延させ、走査開始信号ＳＩＤ（ｎ）にして出力し、次段の走査ＩＣ（ｎ）に供給する構成としている。しかし、タイミング発生回路４５から走査開始信号ＳＩＤ（ｎ）を出力させる構成としてもかまわない。
【００５７】
また、初期化波形発生回路５１または維持パルス発生回路５２を動作させているときは、スイッチング素子ＱＨ１〜スイッチング素子ＱＨｎをオフ、スイッチング素子ＱＬ１〜スイッチング素子ＱＬｎをオンにすることにより、スイッチング素子ＱＬ１〜スイッチング素子ＱＬｎを経由して各走査電極ＳＣ１〜走査電極ＳＣｎに初期化波形または維持パルスを印加する。
【００５８】
なお、スイッチング素子ＱＨ１〜スイッチング素子ＱＨｎおよびスイッチング素子ＱＬ１〜スイッチング素子ＱＬｎの切換えは、上述したように、走査開始信号ＳＩＤ、制御信号ＳＥＬ、制御信号ＯＣ１、制御信号ＯＣ２、制御信号ＯＣ３により行われる。
【００５９】
次に、本実施の形態における走査電極群について説明する。上述したように、本実施の形態では、１つのサブフィールド期間において、１相駆動動作と多相駆動動作とを選択的に行うことができるが、ここでは、多相駆動動作として３相駆動動作を行う場合を例に挙げて説明を行う。
【００６０】
図６は、本発明の実施の形態１における走査電極群の区分けの一例を示す概略図である。なお、図６では、パネル１０と走査ＩＣ５５との接続の様子を簡略的に表しており、パネル１０内において破線で区切られた領域は、１つの走査ＩＣ５５により駆動される複数（ここでは、９０本）の走査電極が配置された領域を表す。また、表示電極対２４は、図２と同様に、図面における左右方向に延長して配列されているものとする。そして、走査ＩＣ５５の出力は、一般に用いられているフレキシブル配線板５６により走査電極ＳＣ１〜走査電極ＳＣｎに接続されているものとする。
【００６１】
３相駆動動作を行う場合、図６に示すように、パネル１０の表示領域を３つの領域に分け、１つの領域に含まれる複数の走査電極を１つの走査電極群として、走査電極ＳＣ１〜走査電極ＳＣｎを３つの走査電極群、すなわち、第１の走査電極群、第２の走査電極群、第３の走査電極群に分けて駆動を行う。例えば、走査電極数ｎ＝１０８０であれば、走査電極ＳＣ１〜走査電極ＳＣ３６０を第１の走査電極群とし、走査電極ＳＣ３６１〜走査電極ＳＣ７２０を第２の走査電極群とし、走査電極７２１〜走査電極ＳＣ１０８０を第３の走査電極群とする。そして、１つの走査ＩＣ５５に接続される走査電極数が９０本であれば、走査電極ＳＣ１から走査電極ＳＣ９０までは第１の走査ＩＣ（１）に接続され、走査電極ＳＣ９１から走査電極ＳＣ１８０までは第２の走査ＩＣ（２）に接続され、このように走査電極は９０本づつ走査ＩＣに接続される。そして走査電極ＳＣ１〜走査電極ＳＣ３６０に接続された走査ＩＣ（１）〜走査ＩＣ（４）を第１の走査ＩＣ群とし、走査電極ＳＣ３６１〜走査電極ＳＣ７２０に接続された走査ＩＣ（５）〜走査ＩＣ（８）を第２の走査ＩＣ群とし、走査電極ＳＣ７２１〜走査電極ＳＣ１０８０に接続された走査ＩＣ（９）〜走査ＩＣ（１２）を第３の走査ＩＣ群とする。そして、タイミング発生回路４５から供給されるタイミング信号により走査ＩＣ群毎に異なる駆動波形を発生させるものとする。
【００６２】
次に、パネル１０を駆動するための駆動電圧波形とその動作の概要について説明する。まず、図７を用いて１相駆動動作時における各電極に印加する駆動波形を示し、続いて、図８を用いて多相駆動動作時における各電極に印加する駆動波形を示す。なお、本実施の形態におけるプラズマディスプレイ装置は、サブフィールド法、すなわち１フィールド期間を時間軸上で複数のサブフィールドに分割し、各サブフィールドに輝度重みをそれぞれ設定し、サブフィールド毎に各放電セルの発光・非発光を制御することによって階調表示を行う。
【００６３】
このサブフィールド法では、例えば、１フィールドを８つのサブフィールド（第１ＳＦ、第２ＳＦ、・・・、第８ＳＦ）で構成し、各サブフィールドはそれぞれ１、２、４、８、１６、３２、６４、１２８の輝度重みを有する構成とすることができる。また、複数のサブフィールドのうち、１つのサブフィールドの初期化期間においては全ての放電セルに初期化放電を発生させる全セル初期化動作を行い、他のサブフィールドの初期化期間においては維持放電を行った放電セルに対して選択的に初期化放電を発生させる選択初期化動作を行うことで、階調表示に関係しない発光を極力減らしコントラスト比を向上させることが可能である。
【００６４】
そして、本実施の形態では、第１ＳＦの初期化期間では全セル初期化動作を行い、第２ＳＦ〜第８ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００６５】
しかし、本実施の形態は、サブフィールド数や各サブフィールドの輝度重みが上記の値に限定されるものではなく、また、画像信号等にもとづいてサブフィールド構成を切換える構成であってもよい。
【００６６】
図７は、本発明の実施の形態１の走査電極駆動回路４３の１相駆動動作におけるパネル１０の各電極に印加する駆動電圧波形図である。
【００６７】
なお、図７には、書込み期間において最初に走査を行う走査電極ＳＣ１、書込み期間において最後に走査を行う走査電極ＳＣｎ、維持電極ＳＵ１〜維持電極ＳＵｎ、およびデータ電極Ｄ１〜データ電極Ｄｍの駆動波形を示す。
【００６８】
また、図７には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示す。なお、他のサブフィールドにおける駆動電圧波形は、維持期間における維持パルス数が異なる以外は第２ＳＦの駆動電圧波形とほぼ同様である。また、以下における走査電極ＳＣｉ、維持電極ＳＵｉ、データ電極Ｄｋは、各電極の中から画像データにもとづき選択された電極を表す。
【００６９】
まず、全セル初期化サブフィールドである第１ＳＦについて説明する。
【００７０】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧（以下、「上りランプ波形」と呼称する）Ｌ１を印加する。
【００７１】
この上りランプ波形Ｌ１が上昇する間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００７２】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える負の電圧（Ｖａ＋Ｖｓｅｔ２）に向かって緩やかに下降する下り傾斜波形電圧（以下、「下りランプ波形」と呼称する）Ｌ２を印加する。この間に、走査電極ＳＣ１〜走査電極ＳＣｎと維持電極ＳＵ１〜維持電極ＳＵｎとの間、および走査電極ＳＣ１〜走査電極ＳＣｎとデータ電極Ｄ１〜データ電極Ｄｍとの間でそれぞれ微弱な初期化放電が起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００７３】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００７４】
この書込み期間では、まず維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。
【００７５】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００７６】
このようにして、１行目に発光させるべき放電セルで書込み放電を起こして各電極上に壁電圧を蓄積する書込み動作を行う。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで順次行い、書込み期間が終了する。
【００７７】
続く維持期間では、輝度重みに所定の輝度倍率を乗じた数の維持パルスを表示電極対２４に交互に印加して、書込み放電を発生した放電セルで維持放電を発生させて発光させる。
【００７８】
この維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００７９】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００８０】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに輝度重みに輝度倍率を乗じた数の維持パルスを交互に印加し、表示電極対２４の電極間に電位差を与えることにより、書込み期間において書込み放電を起こした放電セルで維持放電が継続して行われる。
【００８１】
そして、維持期間の最後には、維持電極ＳＵ１〜維持電極ＳＵｎを０（Ｖ）に戻した後、ベース電位となる０（Ｖ）から放電開始電圧を超える電圧Ｖｅｒｓに向かって上昇する傾斜波形電圧（以下、「消去ランプ波形」と呼称する）Ｌ３を走査電極ＳＣ１〜走査電極ＳＣｎに印加する。すると、維持放電を起こした放電セルの維持電極ＳＵｉと走査電極ＳＣｉとの間で微弱な消去放電が発生する。この消去放電で発生した荷電粒子は、維持電極ＳＵｉと走査電極ＳＣｉとの間の電圧差を緩和するように、維持電極ＳＵｉ上および走査電極ＳＣｉ上に壁電荷となって蓄積されていく。これにより、データ電極Ｄｋ上の正の壁電荷を残したまま、走査電極ＳＣｉおよび維持電極ＳＵｉ上の壁電圧は、走査電極ＳＣｉに印加した電圧と放電開始電圧の差、すなわち（電圧Ｖｅｒｓ−放電開始電圧）の程度まで弱められる。
【００８２】
その後、走査電極ＳＣ１〜走査電極ＳＣｎを０（Ｖ）に戻し、維持期間における維持動作を終了する。
【００８３】
第２ＳＦの初期化期間では、第１ＳＦにおける初期化期間の前半部を省略した駆動電圧波形を各電極に印加する。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から負の電圧（Ｖａ＋Ｖｓｅｔ４）に向かって緩やかに下降する下りランプ波形Ｌ４を印加する。
【００８４】
これにより前のサブフィールド（図７では、第１ＳＦ）の維持期間で維持放電を起こした放電セルでは微弱な初期化放電が発生し、走査電極ＳＣｉ上部および維持電極ＳＵｉ上部の壁電圧が弱められ、データ電極Ｄｋ（ｋ＝１〜ｍ）上部の壁電圧も書込み動作に適した値に調整される。一方、前のサブフィールドで維持放電が起こらなかった放電セルについては放電することはなく、前のサブフィールドの初期化期間終了時における壁電荷の状態がそのまま保たれる。このように第２ＳＦにおける初期化動作は、直前のサブフィールドの維持期間で維持動作を行った放電セルに対して初期化放電を行う選択初期化動作となる。
【００８５】
なお、第１ＳＦの下りランプ波形Ｌ２におけるＶｓｅｔ２は、第２ＳＦの下りランプ波形におけるＶｓｅｔ４よりも小さい電圧に設定する。これは、電圧（Ｖａ＋Ｖｓｅｔ２）を電圧（Ｖａ＋Ｖｓｅｔ４）よりも小さい電圧に設定することで、第１ＳＦにおける初期化放電、すなわち１フィールド期間における最初の初期化放電を確実に発生させるためである。
【００８６】
第２ＳＦの書込み期間においては、走査電極ＳＣ１〜走査電極ＳＣｎ、維持電極ＳＵ１〜維持電極ＳＵｎおよびデータ電極Ｄ１〜データ電極Ｄｍに対して第１ＳＦの書込み期間と同様の駆動波形を印加する。
【００８７】
第２ＳＦの維持期間においては、第１ＳＦの維持期間と同様に、走査電極ＳＣ１〜走査電極ＳＣｎと維持電極ＳＵ１〜維持電極ＳＵｎとに予め定められた数の維持パルスを交互に印加する。これにより、書込み期間において書込み放電を発生させた放電セルで維持放電を発生させる。
【００８８】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルス数が異なる以外は第２ＳＦと同様の駆動波形を印加する。
【００８９】
以上が、１相駆動動作時にパネル１０の各電極に印加する駆動電圧波形の概要である。次に、多相駆動動作時に各電極に印加する駆動波形について説明する。
【００９０】
図８は、本発明の実施の形態１の走査電極駆動回路４３の多相駆動動作におけるパネル１０の各電極に印加する駆動電圧波形図である。なお、図８には、多相駆動動作の一例として、３相駆動動作を例に挙げて各電極に印加する駆動波形を示す。
【００９１】
また、図８には、書込み期間の最初に走査を行う走査電極として第１の走査電極群に属する走査電極ＳＣ１を、書込み期間のほぼ中間時点で走査を行う走査電極として第２の走査電極群に属する走査電極ＳＣｎ／２を、書込み期間の最後に走査を行う走査電極として第３の走査電極群に属する走査電極ＳＣｎを示しており、それとともに、維持電極ＳＵ１〜維持電極ＳＵｎ、データ電極Ｄ１〜データ電極Ｄｍの駆動波形を示す。
【００９２】
また、図８に示すランプ波形Ｌ１〜ランプ波形Ｌ４は、図７のランプ波形Ｌ１〜ランプ波形Ｌ４と同様である。
【００９３】
本実施の形態における多相駆動動作（ここでは、３相駆動動作）では、走査電極群毎に異なる駆動波形を印加する。
【００９４】
第１ＳＦの初期化期間の前半部における動作は、第１の走査電極群、第２の走査電極群、第３の走査電極群の各走査電極ともに、図７に示した１相駆動動作時における第１ＳＦの初期化期間の前半部と同様の動作であるので、説明を省略する。
【００９５】
第１ＳＦの初期化期間の後半部では、第１の走査電極群の各走査電極においては、図７に示した１相駆動動作時における第１ＳＦの初期化期間の前半部と同様の動作を行い、下りランプ波形Ｌ２を印加する。
【００９６】
一方、第２の走査電極群および第３の走査電極群の各走査電極には、電圧Ｖｉ３から負の電圧（Ｖａ＋Ｖｓｅｔ５）に向かって緩やかに下降する下りランプ波形Ｌ５を印加する。ここで、本実施の形態では、Ｖｓｅｔ５をＶｓｅｔ２（例えば、６（Ｖ））およびＶｓｅｔ４（例えば、１０（Ｖ））よりも高い電圧（例えば、７０（Ｖ））に設定する。
【００９７】
このように、第１の走査電極群の各走査電極に印加する下りランプ波形Ｌ２が電圧（Ｖａ＋Ｖｓｅｔ２）まで下降するのに対して、第２の走査電極群および第３の走査電極群の各走査電極に印加する下りランプ波形Ｌ５は電圧（Ｖａ＋Ｖｓｅｔ２）よりも高い電圧（Ｖａ＋Ｖｓｅｔ５）までしか下降しない。そのため、第２の走査電極群により構成される第２の放電セル群および第３の走査電極群により構成される第３の放電セル群の各放電セルにおいては、下りランプ波形による初期化放電によって移動する電荷の量が第１の放電セル群の各放電セルに比べて少ない。それにより、下りランプ波形による初期化放電後、第２の放電セル群および第３の放電セル群の各放電セルには、第１の放電セル群の各放電セルより多くの壁電荷が残存する。
【００９８】
続く書込み期間では、維持電極ＳＵ１〜維持電極ＳＵｎに電圧Ｖｅ２を、走査電極ＳＣ１〜走査電極ＳＣｎに電圧Ｖｃ（Ｖｃ＝Ｖａ＋Ｖｓｃｎ）を印加する。そして、第１の走査電極群（例えば、ｎ＝１０８０であれば、走査電極ＳＣ１〜走査電極ＳＣ３６０）の各走査電極に対して、図７で説明したのと同様の手順で、順次走査パルスを印加する。
【００９９】
第１の走査電極群の各走査電極への走査が終了した後、本実施の形態においては、図８に示すように、第２の走査電極群の各走査電極に電圧Ｖｃから負の電圧（Ｖａ＋Ｖｓｅｔ３）に向かって緩やかに下降する下りランプ波形Ｌ６を印加する。
【０１００】
上述したように、初期化期間において第２の走査電極群の各走査電極に印加した下りランプ波形Ｌ５は負の電圧（Ｖａ＋Ｖｓｅｔ５）までしか下降させておらず、そのため、第２の放電セル群の各放電セルは第１の放電セル群の各放電セルより多くの壁電荷が残存する。したがって、Ｖｓｅｔ３をＶｓｅｔ５（例えば、７０（Ｖ））よりも十分に小さい電圧（例えば、８（Ｖ））に設定することで、下りランプ波形Ｌ６を下りランプ波形Ｌ５よりも十分に低い電位まで下降させることができ、これにより、第２の放電セル群の各放電セルに初期化放電を発生させることができる。
【０１０１】
すなわち、第２の放電セル群の各放電セルにおいては、第２の走査電極群の各走査電極への走査の直前に初期化放電を発生させることができる。
【０１０２】
なお、図８には、第２の走査電極群の各走査電極に下りランプ波形Ｌ６を印加するのと同タイミングで第１の走査電極群および第３の走査電極群の各走査電極にも下りランプ波形を印加する波形図を記載しているが、これらの下りランプ波形は発生させなくとも駆動上は何ら問題ない。しかし、走査電極駆動回路４３の構成上、これらの下りランプ波形を発生させないようにすることが困難な場合には、次のようにする。
【０１０３】
まず、第１の走査電極群の各走査電極に関しては、図８に示すように下りランプ波形Ｌ６をそのまま印加してもかまわない。第１の放電セル群の各放電セルにおいては、初期化期間において電圧（Ｖａ＋Ｖｓｅｔ２）まで下降する下りランプ波形Ｌ２を第１の走査電極群の各走査電極に印加して初期化放電を発生させている。そのため、電圧（Ｖａ＋Ｖｓｅｔ２）とほぼ同電位である電圧（Ｖａ＋Ｖｓｅｔ３）まで下降する下りランプ波形Ｌ６を第１の走査電極群の各走査電極に印加しても、第１の放電セル群の各放電セルに再度初期化放電が発生する恐れはない。したがって、第１の走査電極群の各走査電極に関しては、下りランプ波形Ｌ６をそのまま印加しても何ら問題ない。
【０１０４】
一方、第３の走査電極群の各走査電極に印加する下りランプ波形に関しては、図８に示すように、下りランプ波形の下降を負の電圧（Ｖａ＋Ｖｓｅｔ５）で停止させ、下りランプ波形Ｌ７とする。第３の放電セル群の各放電セルにおいては、初期化期間において電圧（Ｖａ＋Ｖｓｅｔ５）まで下降する下りランプ波形Ｌ５を第３の走査電極群の各走査電極に印加して初期化放電を発生させている。そのため、電圧（Ｖａ＋Ｖｓｅｔ５）と同電位で下降を停止させる下りランプ波形Ｌ７であれば、第３の走査電極群の各走査電極に印加しても、第３の放電セル群の各放電セルに初期化放電が発生する恐れはなく、何ら問題ない。
【０１０５】
そして、第２の走査電極群の各走査電極に下りランプ波形Ｌ６を印加した後、第２の走査電極群（例えば、ｎ＝１０８０であれば、走査電極ＳＣ３６１〜走査電極ＳＣ７２０）の各走査電極に対して、図７で説明したのと同様の手順で、順次走査パルスを印加する。
【０１０６】
第２の走査電極群の各走査電極への走査が終了した後は、図８に示すように、第３の走査電極群の各走査電極に電圧Ｖｃから負の電圧（Ｖａ＋Ｖｓｅｔ３）に向かって緩やかに下降する下りランプ波形Ｌ８を印加する。
【０１０７】
第３の走査電極群の各走査電極に関しては、それ以前に印加した下りランプ波形Ｌ５および下りランプ波形Ｌ７は負の電圧（Ｖａ＋Ｖｓｅｔ５）までしか下降させておらず、そのため、電圧（Ｖａ＋Ｖｓｅｔ３）まで下降させる下りランプ波形Ｌ８を印加することで、第３の放電セル群の各放電セルに初期化放電を発生させることができる。これにより、第３の放電セル群の各放電セルにおいては、第３の走査電極群の各走査電極への走査の直前に初期化放電を発生させることができる。
【０１０８】
なお、図８には、第３の走査電極群の各走査電極に下りランプ波形Ｌ８を印加するのと同タイミングで第１の走査電極群および第２の走査電極群の各走査電極にも下りランプ波形を印加する波形図を記載しているが、これらの下りランプ波形は発生させなくとも駆動上は何ら問題ない。しかし、走査電極駆動回路４３の構成上、これらの下りランプ波形を発生させないようにすることが困難な場合には、図８に示すように下りランプ波形Ｌ８をそのまま第１の走査電極群および第２の走査電極群の各走査電極に印加してもよい。第１の放電セル群の各放電セルにおいては、すでに初期化期間において電圧（Ｖａ＋Ｖｓｅｔ２）まで下降する下りランプ波形Ｌ２を第１の走査電極群の各走査電極に印加して初期化放電を発生させており、また、第２の放電セル群の各放電セルにおいては、すでに電圧（Ｖａ＋Ｖｓｅｔ３）まで下降する下りランプ波形Ｌ６を第２の走査電極群の各走査電極に印加して初期化放電を発生させている。したがって、下りランプ波形Ｌ８を第１の走査電極群および第２の走査電極群の各走査電極に印加しても、第１の放電セル群および第２の放電セル群の各放電セルに再度初期化放電が発生する恐れはなく、何ら問題ない。
【０１０９】
なお、第２の走査電極群の各走査電極に下りランプ波形Ｌ６を印加する期間および第３の走査電極群の各走査電極に下りランプ波形Ｌ８を印加する期間は、データ電極Ｄ１〜データ電極Ｄｍに書込みパルスは印加しない。
【０１１０】
続く維持期間における動作は、第１の走査電極群、第２の走査電極群、第３の走査電極群の各走査電極ともに、図７に示した１相駆動動作時における第１ＳＦの維持期間と同様の動作であるので、説明を省略する。
【０１１１】
第２ＳＦの初期化期間における動作は、第１の走査電極群の各走査電極においては、図７に示した１相駆動動作時における第２ＳＦの初期化期間と同様の動作であるので、説明を省略する。第２の走査電極群および第３の走査電極群の各走査電極における動作は、多相駆動動作時における第１ＳＦの初期化期間の後半部の動作とほぼ同様であり、接地電位電圧から負の電圧（Ｖａ＋Ｖｓｅｔ５）に向かって緩やかに下降する下りランプ波形Ｌ９を印加する。
【０１１２】
また、第２ＳＦの書込み期間における動作も、多相駆動動作時における第１ＳＦの書込み期間の動作と同様であるので、説明を省略する。
【０１１３】
また、第３ＳＦ以降のサブフィールドでは、走査電極ＳＣ１〜走査電極ＳＣｎ、維持電極ＳＵ１〜維持電極ＳＵｎおよびデータ電極Ｄ１〜データ電極Ｄｍに対して、維持期間における維持パルス数が異なる以外は第２ＳＦと同様の駆動波形を印加する。
【０１１４】
次に、走査電極駆動回路４３の動作と下りランプ波形の発生について、図９から図１３を用いて説明する。まず、図９を用いて全セル初期化期間における初期化波形および下りランプ波形Ｌ２を発生する場合の動作を説明し、次に、図１０を用いて下りランプ波形Ｌ５を発生する場合の動作を説明し、次に、図１１を用いて下りランプ波形Ｌ６（下りランプ波形Ｌ８）を発生する場合の動作を説明し、次に、図１２を用いて下りランプ波形Ｌ７を発生する場合の動作を説明し、次に、図１３を用いて下りランプ波形Ｌ４を発生する場合の動作を説明する。
【０１１５】
なお、図９から図１３では、電圧Ｖｉ１、電圧Ｖｉ３は電圧Ｖｓに等しいものとし、電圧Ｖｉ２は電圧Ｖｒに等しいものとして説明する。
【０１１６】
図９は、本発明の実施の形態１における全セル初期化期間の走査電極駆動回路４３の動作の一例を説明するためのタイミングチャートである。なお、ここでは、全セル初期化動作を行う駆動電圧波形を期間Ｔ１、期間Ｔ２、期間Ｔ３、期間Ｔ４１で示した４つの期間に分割し、それぞれの期間について説明する。
【０１１７】
なお、下りランプ波形Ｌ２を発生するときには、比較器ＣＰ１において、基準電位Ａ、すなわち初期化波形発生回路５１から出力される駆動波形電圧と電圧（Ｖａ＋Ｖｓｅｔ２）とを比較させ、その比較結果を制御信号ＯＣ２として出力させる。そのために、全ての走査ＩＣ５５において、制御信号ＳＥＬを「Ｌｏ」にし、スイッチング素子ＳＷ１はオンにし、スイッチング素子ＳＷ２、スイッチング素子ＳＷ３はオフにする。なお、図９は、１相駆動動作を説明するタイミングチャートであるが、多相駆動動作において下りランプ波形Ｌ２を発生させる走査ＩＣ５５においても、同様の動作をするものとする。
【０１１８】
（期間Ｔ１）
まず、維持パルス発生回路５２の電力回収回路を動作させ走査電極ＳＣ１〜走査電極ＳＣｎの電圧を上昇させる。その後、維持パルス発生回路５２のクランプ回路を動作させ、走査電極ＳＣ１〜走査電極ＳＣｎの電位を電圧Ｖｓ（本実施の形態では、電圧Ｖｉ１と等しい）にする。
【０１１９】
（期間Ｔ２）
次に、上りランプ波形を発生するミラー積分回路５３の入力端子ＩＮ１を「Ｈｉ」にする。具体的には入力端子ＩＮ１に、例えば電圧１５（Ｖ）を印加する。すると、抵抗Ｒ１からコンデンサＣ１に向かって一定の電流が流れ、スイッチング素子Ｑ１のソース電圧がランプ状に上昇し、走査電極駆動回路４３の出力電圧もランプ状に上昇し始める。そしてこの電圧上昇は、入力端子ＩＮ１が「Ｈｉ」の間継続する。
【０１２０】
この出力電圧が電圧Ｖｒ（本実施の形態では、電圧Ｖｉ２と等しい）まで上昇したら、その後、入力端子ＩＮ１を「Ｌｏ」にする。具体的には入力端子ＩＮ１に、例えば電圧０（Ｖ）を印加する。
【０１２１】
このようにして、放電開始電圧以下となる電圧Ｖｓ（本実施の形態では、電圧Ｖｉ１と等しい）から、放電開始電圧を超える電圧Ｖｒ（本実施の形態では、電圧Ｖｉ２と等しい）に向かって緩やかに上昇する上りランプ波形電圧を走査電極ＳＣ１〜走査電極ＳＣｎに印加する。
【０１２２】
（期間Ｔ３）
入力端子ＩＮ１を「Ｌｏ」にすると走査電極ＳＣ１〜走査電極ＳＣｎの電圧が電圧Ｖｓ（本実施の形態では、電圧Ｖｉ３と等しい）まで低下する。
【０１２３】
（期間Ｔ４１）
次に、下りランプ波形電圧を発生するミラー積分回路５４の入力端子ＩＮ２を「Ｈｉ」にする。具体的には入力端子ＩＮ２に、例えば電圧１５（Ｖ）を印加する。すると、抵抗Ｒ２からコンデンサＣ２に向かって一定の電流が流れ、スイッチング素子Ｑ２のドレイン電圧がランプ状に下降し、走査電極駆動回路４３の出力電圧もランプ状に下降し始める。
【０１２４】
このとき、比較器ＣＰ１では、この基準電位Ａにおける下りランプ波形と、電圧Ｖａに電圧Ｖｓｅｔ２が加えられた電圧（Ｖａ＋Ｖｓｅｔ２）とが比較されており、比較器ＣＰ１からの出力信号、すなわち制御信号ＯＣ２は、基準電位Ａにおける下りランプ波形が電圧（Ｖａ＋Ｖｓｅｔ２）以下となる時刻ｔ４１において「Ｌｏ」から「Ｈｉ」に切換わる。
【０１２５】
なお、スイッチング素子ＳＷ４がオンであれば、比較器ＣＰ２からは、基準電位Ａにおける下りランプ波形と電圧（Ｖａ＋Ｖｓｅｔ５）との比較結果が制御信号ＯＣ３として出力され、制御信号ＯＣ３は、基準電位Ａにおける下りランプ波形が電圧（Ｖａ＋Ｖｓｅｔ５）以下のときに、「Ｈｉ」となる。しかし、制御信号ＳＥＬが「Ｌｏ」なので、走査ＩＣ５５は、制御信号ＯＣ２にもとづき動作する。
【０１２６】
走査ＩＣ５５は、制御信号ＯＣ２が「Ｈｉ」であり制御信号ＳＥＬが「Ｌｏ」であれば入力端子ＩＮｂに入力される信号を出力するので、これにより、走査電極駆動回路４３の出力電圧は電圧Ｖｃとなり、下りランプ波形は電圧（Ｖａ＋Ｖｓｅｔ２）で下降を停止する下りランプ波形Ｌ２となる。
【０１２７】
そして、初期化期間が終了する直前に、入力端子ＩＮ２に、例えば電圧０（Ｖ）を印加して、入力端子ＩＮ２を「Ｌｏ」にする。
【０１２８】
以上のようにして、走査電極駆動回路４３は、走査電極ＳＣ１〜走査電極ＳＣｎに対して、放電開始電圧以下となる電圧Ｖｉ１から放電開始電圧を超える電圧Ｖｉ２に向かって緩やかに上昇する上りランプ波形を発生させ、その後、電圧Ｖｉ３から電圧（Ｖａ＋Ｖｓｅｔ２）に向かって緩やかに下降する下りランプ波形Ｌ２を発生させて走査電極ＳＣ１〜走査電極ＳＣｎに印加することができる。
【０１２９】
次に、図１０を用いて下りランプ波形Ｌ５を発生する場合の動作を説明する。図１０は、本発明の実施の形態１における全セル初期化期間の走査電極駆動回路４３の動作の他の一例を説明するためのタイミングチャートであり、多相駆動動作において下りランプ波形Ｌ５を発生させる動作を説明するタイミングチャートである。なお、図１０において、期間Ｔ１〜期間Ｔ３の動作は図９に示した動作と同様であるので、ここでは、図９に示した期間Ｔ４１と動作の異なる期間Ｔ４２について説明する。
【０１３０】
なお、下りランプ波形Ｌ５を発生するときには、比較器ＣＰ２において、基準電位Ａ、すなわち初期化波形発生回路５１から出力される駆動波形電圧と電圧（Ｖａ＋Ｖｓｅｔ５）とを比較させ、その比較結果を制御信号ＯＣ３として出力させる。そのために、多相駆動動作時に下りランプ波形Ｌ５を発生させる走査ＩＣ５５において、制御信号ＳＥＬは「Ｈｉ」にする。
【０１３１】
（期間Ｔ４２）
下りランプ波形電圧を発生するミラー積分回路５４の入力端子ＩＮ２を「Ｈｉ」にすると、走査電極駆動回路４３の出力電圧がランプ状に下降し始める。
【０１３２】
このとき、比較器ＣＰ２では、この基準電位Ａにおける下りランプ波形と、電圧Ｖａに電圧Ｖｓｅｔ５が加えられた電圧（Ｖａ＋Ｖｓｅｔ５）とが比較されており、比較器ＣＰ２からの出力信号、すなわち制御信号ＯＣ３は、基準電位Ａにおける下りランプ波形が電圧（Ｖａ＋Ｖｓｅｔ５）以下となる時刻ｔ４２において「Ｌｏ」から「Ｈｉ」に切換わる。なお、スイッチング素子ＳＷ１がオンであれば比較器ＣＰ１からは、基準電位Ａにおける下りランプ波形と電圧（Ｖａ＋Ｖｓｅｔ２）との比較結果が制御信号ＯＣ２として出力される。しかし、制御信号ＯＣ２は、基準電位Ａにおける下りランプ波形が電圧（Ｖａ＋Ｖｓｅｔ２）以下のときに、「Ｈｉ」となるので、時刻ｔ４２では、制御信号ＯＣ２は「Ｌｏ」のままである。
【０１３３】
走査ＩＣ５５は、制御信号ＳＥＬが「Ｈｉ」なので、制御信号ＯＣ３が「Ｌｏ」から「Ｈｉ」に切換わった時点の出力電圧を保持して出力する。これにより、走査電極駆動回路４３から出力される下りランプ波形は電圧（Ｖａ＋Ｖｓｅｔ５）で下降を停止する下りランプ波形Ｌ５となる。そして、ミラー積分回路５４により降下される基準電位Ａの電位が電圧（Ｖａ＋Ｖｓｅｔ２）以下となった時点で制御信号ＯＣ２は「Ｈｉ」となり、同タイミングで制御信号ＳＥＬを「Ｌｏ」にする。これにより、走査電極駆動回路４３の出力電圧は電圧Ｖｃとなる。
【０１３４】
次に、図１１を用いて下りランプ波形Ｌ６を発生する場合の動作を説明する。図１１は、本発明の実施の形態１における書込み期間の走査電極駆動回路４３の動作の一例を説明するためのタイミングチャートであり、多相駆動動作において下りランプ波形Ｌ６を発生させる動作を説明するタイミングチャートである。
【０１３５】
なお、図９、図１０では全セル初期化期間の走査電極駆動回路４３の動作を説明したが、下りランプ波形Ｌ６および次に説明する下りランプ波形Ｌ７は書込み期間において発生させる波形であるため、図１１および図１２では、書込み期間において下りランプ波形を発生させる際の走査電極駆動回路４３の動作を説明する。
【０１３６】
下りランプ波形Ｌ６を発生するときには、比較器ＣＰ１において、基準電位Ａ、すなわち初期化波形発生回路５１から出力される駆動波形電圧と電圧（Ｖａ＋Ｖｓｅｔ３）とを比較させ、その比較結果を制御信号ＯＣ２として出力させる。そのために、多相駆動動作時に下りランプ波形Ｌ６を発生させる走査ＩＣ５５において、制御信号ＳＥＬは「Ｌｏ」にし、スイッチング素子ＳＷ２はオンにし、スイッチング素子ＳＷ１、スイッチング素子ＳＷ３はオフにする。
【０１３７】
（期間Ｔ４３）
下りランプ波形電圧を発生するミラー積分回路５４の入力端子ＩＮ２を「Ｈｉ」にすると、走査電極駆動回路４３の出力電圧がランプ状に下降し始める。
【０１３８】
このとき、比較器ＣＰ１では、この基準電位Ａにおける下りランプ波形と、電圧Ｖａに電圧Ｖｓｅｔ３が加えられた電圧（Ｖａ＋Ｖｓｅｔ３）とが比較されており、比較器ＣＰ１からの出力信号、すなわち制御信号ＯＣ２は、基準電位Ａにおける下りランプ波形が電圧（Ｖａ＋Ｖｓｅｔ３）以下となる時刻ｔ４３において「Ｌｏ」から「Ｈｉ」に切換わる。
【０１３９】
なお、スイッチング素子ＳＷ４がオンであれば、比較器ＣＰ２からは、基準電位Ａにおける下りランプ波形と電圧（Ｖａ＋Ｖｓｅｔ５）との比較結果が制御信号ＯＣ３として出力され、制御信号ＯＣ３は、基準電位Ａにおける下りランプ波形が電圧（Ｖａ＋Ｖｓｅｔ５）以下のときに、「Ｈｉ」となる。しかし、制御信号ＳＥＬが「Ｌｏ」なので、走査ＩＣ５５は、制御信号ＯＣ２にもとづき動作する。
【０１４０】
これにより、走査電極駆動回路４３の出力電圧は時刻ｔ４３で電圧Ｖｃとなり、下りランプ波形は電圧（Ｖａ＋Ｖｓｅｔ３）で下降を停止する下りランプ波形Ｌ６となる。なお、ここでは、下りランプ波形Ｌ８を下りランプ波形Ｌ６と同様の波形形状としているので、下りランプ波形Ｌ６を発生させるのと同様の手順で走査電極駆動回路４３を制御することにより下りランプ波形Ｌ８を発生させることができる。
【０１４１】
次に、図１２を用いて下りランプ波形Ｌ７を発生する場合の動作を説明する。図１２は、本発明の実施の形態１における書込み期間の走査電極駆動回路４３の動作の他の一例を説明するためのタイミングチャートであり、多相駆動動作において下りランプ波形Ｌ７を発生させる動作を説明するタイミングチャートである。
【０１４２】
下りランプ波形Ｌ７を発生するときには、比較器ＣＰ２において、基準電位Ａ、すなわち初期化波形発生回路５１から出力される駆動波形電圧と電圧（Ｖａ＋Ｖｓｅｔ５）とを比較させ、その比較結果を制御信号ＯＣ３として出力させる。そのために、多相駆動動作時に下りランプ波形Ｌ７を発生させる走査ＩＣ５５において、制御信号ＳＥＬは「Ｈｉ」にする。
【０１４３】
（期間Ｔ４４）
下りランプ波形電圧を発生するミラー積分回路５４の入力端子ＩＮ２を「Ｈｉ」にすると、走査電極駆動回路４３の出力電圧がランプ状に下降し始める。
【０１４４】
このとき、比較器ＣＰ２では、この基準電位Ａにおける下りランプ波形と、電圧Ｖａに電圧Ｖｓｅｔ５が加えられた電圧（Ｖａ＋Ｖｓｅｔ５）とが比較されており、比較器ＣＰ２からの出力信号、すなわち制御信号ＯＣ３は、基準電位Ａにおける下りランプ波形が電圧（Ｖａ＋Ｖｓｅｔ５）以下となる時刻ｔ４４において「Ｌｏ」から「Ｈｉ」に切換わる。なお、スイッチング素子ＳＷ２がオンであれば比較器ＣＰ１からは、基準電位Ａにおける下りランプ波形と電圧（Ｖａ＋Ｖｓｅｔ３）との比較結果が制御信号ＯＣ２として出力される。しかし、制御信号ＯＣ２は、下りランプ波形が電圧（Ｖａ＋Ｖｓｅｔ３）以下のときに、「Ｈｉ」となるので、時刻ｔ４４では、制御信号ＯＣ２は「Ｌｏ」のままである。
【０１４５】
走査ＩＣ５５は、制御信号ＳＥＬが「Ｈｉ」なので、制御信号ＯＣ３が「Ｌｏ」から「Ｈｉ」に切換わった時点の出力電圧を保持して出力する。これにより、走査電極駆動回路４３から出力される下りランプ波形は電圧（Ｖａ＋Ｖｓｅｔ５）で下降を停止する下りランプ波形Ｌ７となる。そして、ミラー積分回路５４により降下される基準電位Ａの電位が電圧（Ｖａ＋Ｖｓｅｔ３）以下となった時点で制御信号ＯＣ２は「Ｈｉ」となり、同タイミングで制御信号ＳＥＬを「Ｌｏ」にする。これにより、走査電極駆動回路４３の出力電圧は電圧Ｖｃとなる。
【０１４６】
次に、図１３を用いて下りランプ波形Ｌ４を発生する場合の動作を説明する。図１３は、本発明の実施の形態１における選択初期化期間の走査電極駆動回路４３の動作の一例を説明するためのタイミングチャートであり、多相駆動動作において下りランプ波形Ｌ４を発生させる動作を説明するタイミングチャートである。
【０１４７】
なお、図９、図１０では全セル初期化期間の走査電極駆動回路４３の動作を説明したが、下りランプ波形Ｌ６は選択初期化期間において発生させる波形であるため、図１３では、選択初期化期間において下りランプ波形を発生させる際の走査電極駆動回路４３の動作を説明する。
【０１４８】
下りランプ波形Ｌ４を発生するときには、比較器ＣＰ１において、基準電位Ａ、すなわち初期化波形発生回路５１から出力される駆動波形電圧と電圧（Ｖａ＋Ｖｓｅｔ４）とを比較させ、その比較結果を制御信号ＯＣ２として出力させる。そのために、１相駆動動作時は全ての走査ＩＣ５５において、多相駆動動作時は下りランプ波形Ｌ４を発生させる走査ＩＣ５５において、制御信号ＳＥＬは「Ｌｏ」にし、スイッチング素子ＳＷ３はオンにし、スイッチング素子ＳＷ１、スイッチング素子ＳＷ２はオフにする。
【０１４９】
（期間Ｔ４５）
下りランプ波形電圧を発生するミラー積分回路５４の入力端子ＩＮ２を「Ｈｉ」にすると、走査電極駆動回路４３の出力電圧がランプ状に下降し始める。
【０１５０】
このとき、比較器ＣＰ１では、この基準電位Ａにおける下りランプ波形と、電圧Ｖａに電圧Ｖｓｅｔ３が加えられた電圧（Ｖａ＋Ｖｓｅｔ４）とが比較されており、比較器ＣＰ１からの出力信号、すなわち制御信号ＯＣ２は、基準電位Ａにおける下りランプ波形が電圧（Ｖａ＋Ｖｓｅｔ４）以下となる時刻ｔ４５において「Ｌｏ」から「Ｈｉ」に切換わる。
【０１５１】
なお、スイッチング素子ＳＷ４がオンであれば、比較器ＣＰ２からは、基準電位Ａにおける下りランプ波形と電圧（Ｖａ＋Ｖｓｅｔ５）との比較結果が制御信号ＯＣ３として出力され、制御信号ＯＣ３は、基準電位Ａにおける下りランプ波形が電圧（Ｖａ＋Ｖｓｅｔ５）以下のときに、「Ｈｉ」となる。しかし、制御信号ＳＥＬが「Ｌｏ」なので、走査ＩＣ５５は、制御信号ＯＣ２にもとづき動作する。
【０１５２】
これにより、走査電極駆動回路４３の出力電圧は時刻ｔ４５で電圧Ｖｃとなり、下りランプ波形は電圧（Ｖａ＋Ｖｓｅｔ４）で下降を停止する下りランプ波形Ｌ４となる。
【０１５３】
なお、選択初期化期間において発生させる下りランプ波形Ｌ９は、下りランプ波形Ｌ７とほぼ同様の波形形状であり、下りランプ波形Ｌ７を発生させるのと同様の手順で走査電極駆動回路４３を制御することにより下りランプ波形Ｌ９を発生させることができる。
【０１５４】
以上のように構成した本実施の形態におけるプラズマディスプレイ装置１では、高精細化されたパネル１０においても、走査パルス電圧（振幅）を大きくすることなく、安定した書込み動作を行うことができる。次に、この効果について、説明する。
【０１５５】
図１４は、本発明の実施の形態１における１相駆動動作を行うときに安定した書込み放電を発生させるために必要な走査パルス電圧（振幅）と走査の順番との関係を示す概略図である。図１４（ａ）は、１相駆動動作を行うときの安定した書込み放電を発生させるために必要な走査パルス電圧（振幅）と走査の順番との関係を示す概略特性図であり、横軸は走査電極ＳＣ１〜走査電極ＳＣｎの走査の順番を表し、縦軸は各放電セルにおいて安定した書込み放電を発生させるために必要な走査パルス電圧（振幅）を表す。また、図１４（ｂ）は、１相駆動動作を行うときに走査電極ＳＣ１〜走査電極ＳＣｎに印加する駆動波形を示す波形図であり、書込み期間に最初に走査を行う走査電極ＳＣ１、書込み期間のほぼ中間時点で走査を行う走査電極ＳＣｎ／２、書込み期間の最後に走査を行う走査電極ＳＣｎにおける駆動波形を示す。なお、図１４は、安定した書き込み放電を発生させるために必要な走査パルス電圧（振幅）と、初期化動作後の時間経過との関連を調べてグラフ化して示した図であり、走査パルス電圧を走査電極毎に変えているわけではない。
【０１５６】
そして、図１４（ａ）に示すように、各放電セルにおいて、走査の順番が遅くなるほど、安定した書込み放電を発生させるために必要な走査パルス電圧（振幅）は大きくなる。本発明者が行った実験では、最初に走査を行う放電セルと比較して最後に走査を行う放電セルでは、安定した書込み放電を発生させるために必要な走査パルス電圧（振幅）は約３４（Ｖ）も上昇した。
【０１５７】
これは、初期化期間に初期化放電よって放電セルに形成された壁電荷が、時間の経過とともに徐々に減少するためと考えられる。その原因の１つに、書込みパルスが書込み期間中（表示画像に応じて）各データ電極に印加されるため、走査が行われていない放電セルにも書込みパルス電圧が印加されるといったことが挙げられる。また、他の放電セルに書込み放電を発生させるためにデータ電極に印加される書込みパルスの影響を受けることによっても、壁電荷は減少する。したがって、走査の順番が遅い放電セルほどより多くの壁電荷は減少し、その分、走査パルス電圧（振幅）を大きくしなければならなくなると考えられる。
【０１５８】
図１５は、本発明の実施の形態１における多相駆動動作（ここでは、３相駆動動作）を行うときに安定した書込み放電を発生させるために必要な走査パルス電圧（振幅）と走査の順番との関係を示す概略図である。図１５（ａ）は、３相駆動動作を行うときの安定した書込み放電を発生させるために必要な走査パルス電圧（振幅）と走査の順番との関係を示す概略特性図であり、横軸は走査電極ＳＣ１〜走査電極ＳＣｎの走査の順番を表し、縦軸は各放電セルにおいて安定した書込み放電を発生させるために必要な走査パルス電圧（振幅）を表す。なお、図１５（ａ）に破線で示す特性は、図１４（ａ）にも示した１相駆動動作時に安定した書込み放電を発生させるために必要な走査パルス電圧（振幅）である。また、図１５（ｂ）は、３相駆動動作を行うときに走査電極ＳＣ１〜走査電極ＳＣｎに印加する駆動波形を示す波形図であり、書込み期間の最初に走査を行う走査電極であり第１の走査電極群に属する走査電極ＳＣ１、書込み期間のほぼ中間時点で走査を行う走査電極であり第２の走査電極群に属する走査電極ＳＣｎ／２、書込み期間の最後に走査を行う走査電極であり第３の走査電極群に属する走査電極ＳＣｎにおける駆動波形を示す。
【０１５９】
本実施の形態における多相駆動動作では、各走査電極群における走査を開始する直前に、各放電セル群毎に下りランプ波形による初期化放電を発生させている。例えば、３相駆動動作であれば、第１の放電セル群の各放電セルにおいては第１の走査電極群の各走査電極の走査を開始する直前に下りランプ波形Ｌ２（第２ＳＦ以降は下りランプ波形Ｌ４）による初期化放電を発生させ、第２の放電セル群の各放電セルにおいては第２の走査電極群の各走査電極の走査を開始する直前に下りランプ波形Ｌ６による初期化放電を発生させ、第３の放電セル群の各放電セルにおいては第３の走査電極群の各走査電極の走査を開始する直前に下りランプ波形Ｌ８による初期化放電を発生させている。
【０１６０】
この初期化放電により放電セル内の壁電荷を適正な状態にすることができるので、図１５（ａ）に実線で示すように、安定した書込み放電を発生させるために必要な走査パルス電圧（振幅）を、各放電セル群毎に低減することが可能となる。そして、本発明者が行った実験では、書込み期間の最後に走査を行う放電セルにおいて、安定した書込み放電を発生させるために必要な走査パルス電圧（振幅）を、３相駆動動作時には１相駆動動作時と比較して約２７（Ｖ）低減することができた。
【０１６１】
以上説明したように、本実施の形態においては、書込み期間に走査電極群の数に応じた数の下りランプ波形を発生させて上述した多相駆動動作を行うことにより、安定した書込み放電を発生させるために必要な走査パルス電圧（振幅）を低減することが可能となり、書込み放電が不安定になりやすい走査の順番が遅い放電セルにおいても駆動に必要な印加電圧を高くすることなく、安定した書込み動作を行うことが可能となる。
【０１６２】
なお、本実施の形態では、多相駆動動作の一例として、３相駆動動作を説明したが、本発明は何ら３相駆動動作に限定されるものではない。図１６は、本発明の実施の形態１における４相駆動動作時の駆動波形の一例を示す波形図である。例えば、パネル１０の表示領域を４分割して走査電極群の数を４つにし、多相駆動動作の相の数（以下、「相数」と略記する）を４つにして４相駆動動作を行う構成としてもよい。あるいは、パネル１０の表示領域を５分割、あるいはそれ以上の数に分割して、走査電極群の数を５つ、あるいはそれ以上とし、多相駆動動作の相数を５相、あるいはそれ以上にしてもよい。
【０１６３】
ここで、多相駆動動作の相数を変更することで、安定した書込み放電を発生させるために必要な走査パルス電圧（振幅）も変化する。図１７は、本発明の実施の形態１における多相駆動動作時の相数と安定した書込み放電を発生させるために必要な走査パルス電圧（振幅）との関係を示す特性図である。図１６において、横軸は多相駆動動作の相数を表し、縦軸は各相数における安定した書込み放電を発生させるために必要な走査パルス電圧（振幅）を表す。
【０１６４】
そして、図１７に示すように、３相駆動動作よりも４相駆動動作、４相駆動動作よりも５相駆動動作と、相数を多くすることで、安定した書込み放電を発生させるために必要な走査パルス電圧（振幅）をより低減することができる。ただし、その効果は徐々に飽和し、６相駆動動作以上ではほぼ一定となる。一方、相数を増やすほど書込み期間に発生させる下りランプ波形の数は増えるので、書込み期間に要する時間は長くなる。したがって、多相駆動動作の相数は、走査パルス電圧（振幅）の低減効果、サブフィールド構成、パネルの特性およびプラズマディスプレイ装置の仕様等に応じて、最適に設定することが望ましい。
【０１６５】
なお、本実施の形態における図８では、第１ＳＦ、第２ＳＦにおいて多相駆動動作（３相駆動動作）を行う例を説明したが、実用上は、輝度重みが小さく発生させる維持パルスが少ないサブフィールドにおいては、維持期間が短く初期化期間から次の初期化期間までの時間間隔が短いため、１相駆動動作であっても何ら問題ない。また、１相駆動動作では、書込み期間に下りランプ波形を発生させないので、書込み期間の延長は発生せず、駆動に要する時間を多相駆動動作と比較して短くすることができる。そこで、サブフィールド毎の輝度重みに応じて１相駆動動作と多相駆動動作とを切換える構成としてもよい。図１８は、本発明の実施の形態１における各サブフィールドと相数との対応の一例を示す対応図である。例えば、図１８に示すように、１フィールドを８のサブフィールドで構成し、各サブフィールドはそれぞれ１、２、４、８、１６、３２、６４、１２８の輝度重みを有するとすれば、輝度重みが比較的小さいサブフィールド（例えば、第１ＳＦ〜第４ＳＦ）では１相駆動動作を行い、輝度重みが比較的大きいサブフィールド（例えば、第５ＳＦ〜第８ＳＦ）では多相駆動動作（例えば、３相駆動動作）を行う構成としてもよい。これにより、書込み期間に要する時間を抑えつつ、安定した書込み動作を行うことが可能となる。
【０１６６】
なお、本実施の形態では、下りランプ波形Ｌ５、下りランプ波形Ｌ７、下りランプ波形Ｌ９を、下りランプ波形の電圧が電圧（Ｖａ＋Ｖｓｅｔ５）に到達した後、その電圧を一定期間保持するような波形形状として示した。しかし、これは、走査電極駆動回路４３の回路構成上、このような波形形状になったものに過ぎず、本実施の形態は何らこの波形形状に限定されるものではない。図１９は、本発明の実施の形態１における全セル初期化期間の走査電極駆動回路４３の動作の他の一例を説明するためのタイミングチャートであり、図２０は、本発明の実施の形態１における書込み期間の走査電極駆動回路４３の動作の他の一例を説明するためのタイミングチャートである。例えば、図１９および図２０に示すように、下りランプ波形の電圧が電圧（Ｖａ＋Ｖｓｅｔ５）に到達した後、すぐに電圧Ｖｃに切換わるような波形を出力する回路構成であってもかまわない。
【０１６７】
なお、本実施の形態では、多相駆動動作において走査電極群を区分けする際に、走査電極ＳＣ１〜走査電極ＳＣｎを等分する構成を説明したが、何らこの構成に限定されるものではなく、走査電極群毎に走査電極数に差があってもかまわない。
【０１６８】
なお、本実施の形態では、下りランプ波形Ｌ６と下りランプ波形Ｌ８とを同じ波形形状として説明したが、必ずしも同じ波形形状である必要はなく、下りランプ波形電圧の到達電位に差があってもかまわない。
【０１６９】
なお、本実施の形態では、電圧Ｖｓｅｔ２を６（Ｖ）とし、電圧Ｖｓｅｔ３を８（Ｖ）とし、電圧Ｖｓｅｔ４を１０（Ｖ）とし、電圧Ｖｓｅｔ５を７０（Ｖ）としたが、これらの数値は単なる一例に過ぎず、パネルの特性やプラズマディスプレイ装置の仕様等に応じて最適な電圧値に設定すればよい。
【０１７０】
また、図９から図１３および図１９、図２０に示したタイミングチャートは実施の形態における一例を示したものに過ぎず、何らこれらのタイミングチャートに限定されるものではない。
【０１７１】
（実施の形態２）
図２１は、本発明の実施の形態２におけるプラズマディスプレイ装置２の回路ブロック図である。プラズマディスプレイ装置２は、実施の形態１において図３に示したプラズマディスプレイ装置１の構成に、さらにＡＰＬ検出回路４７を備えた構成としている。
【０１７２】
ＡＰＬ検出回路４７は、画像データの輝度値を１フレーム期間もしくは１フィールド期間にわたり累積加算する等の一般に用いられている手法により、表画像信号ｓｉｇの平均輝度レベル（Ａｖｅｒａｇｅ  Ｐｉｃｔｕｒｅ  Ｌｅｖｅｌ：以下、「ＡＰＬ」略記する）を検出する。そして、検出したＡＰＬを示す信号をタイミング発生回路４５へ出力する。
【０１７３】
タイミング発生回路４５は、水平同期信号Ｈ、垂直同期信号ＶおよびＡＰＬ検出回路４７によって検出されたＡＰＬにもとづき各回路ブロックの動作を制御する各種のタイミング信号を発生し、それぞれの回路ブロック（画像信号処理回路４１、データ電極駆動回路４２、走査電極駆動回路４３および維持電極駆動回路４４）へ供給する。
【０１７４】
図２２は、本発明の実施の形態２におけるＡＰＬと輝度倍率の関係を示す特性図である。
【０１７５】
本実施の形態では、図２２に示すように、ＡＰＬ１００％の画像を表示するときの維持パルスの輝度倍率を１倍にし、ＡＰＬ２０％以下の画像を表示するときの輝度倍率を５倍にして、ＡＰＬ１００％の画像表示からＡＰＬ２０％の画像表示に至るまで輝度倍率を１倍から５倍へと徐々に大きくしている。なお、本実施の形態では、このときの輝度倍率１倍から５倍までを１２０段階に分けて行っている。
【０１７６】
このように、表示する画像のＡＰＬが低くなるにつれて輝度倍率を大きくしているのは、ＡＰＬが低い場合に輝度倍率を上げることで、発生させる維持パルスの総数を大きくし、暗い画像をより明るく表示することが可能となるからである。ＡＰＬが低い画像では、全体的に輝度値が低くかったり、また、全体的に輝度値が低い中に一部輝度値の高い領域が存在するような画像であることが多いため、輝度を上げることで暗い部分と明るい部分との輝度差をさらに大きくすることができ、よりダイナミックな迫力のある画像を表示することが可能となる。
【０１７７】
一方、ＡＰＬが高い画像は全体的に輝度値の高い画像となるため、仮に輝度倍率を大きくして輝度を上げても全体的に明るくなるだけで画像のダイナミックさはそれほど大きくは変わらない。さらに、ＡＰＬが高い画像で輝度をさらに上げるとその分消費電力が増大するといった問題も生じる。
【０１７８】
これらの理由により、本実施の形態では、図２２に示すようにＡＰＬに応じて輝度倍率を変化させる構成としている。これにより、消費電力を抑えつつ、ダイナミックで迫力のある画像を表示することが可能となる。
【０１７９】
ここで、ＡＰＬが高い画像では、図２２に示すように輝度倍率が下がるため、発生させる維持パルスの総数が減り、駆動時間に余裕が生じる。そこで、本実施の形態では、パネル１０の表示領域を２つの領域に分割し走査電極群の数を２つにして行う２相駆動動作と、パネルの表示領域を３つ以上の領域に分割して走査電極群の数を３つ以上とし、３相以上で行う多相駆動動作との少なくとも２種類の多相駆動動作を切換えて走査電極を駆動するように構成するとともに、ＡＰＬ検出回路４７によって検出されたＡＰＬに応じて上述した少なくとも２種類の多相駆動動作を切換えて走査電極ＳＣ１〜走査電極ＳＣｎを駆動する構成とする。
【０１８０】
図２３は、本発明の実施の形態２における各サブフィールドおよびＡＰＬと相数との対応の一例を示す対応図である。なお、図２３に示した「１」、「２」、「３」の数字はそれぞれ、１相駆動動作、２相駆動動作、３相駆動動作を表す。また、ここでは、１フィールドを８のサブフィールドで構成し、各サブフィールドはそれぞれ１、２、４、８、１６、３２、６４、１２８の輝度重みを有するものとする。
【０１８１】
例えば、図２３に示すように、低ＡＰＬ（ここでは、ＡＰＬ６０％未満）の画像を表示するときには、輝度重みの比較的小さい第１ＳＦから第３ＳＦまでを１相駆動動作とし、輝度重みの比較的大きい第４ＳＦから第８ＳＦまでを２相駆動動作とする。また、高ＡＰＬ（ここでは、ＡＰＬ６０％以上）の画像を表示するときには、第１ＳＦから第５ＳＦまでは低ＡＰＬの画像を表示するときと同様の駆動動作とし、第６ＳＦから第８ＳＦまでを２相駆動動作から３相駆動動作に変更する。次に、このような駆動を行う理由について説明する。
【０１８２】
図２４は、本発明の実施の形態２におけるＡＰＬおよび多相駆動動作の相数と安定した書込み放電を発生させるために必要な走査パルス電圧（振幅）との関係を示す特性図である。なお、図２４には、１相駆動動作、２相駆動動作、３相駆動動作における特性を示す。また、図２４において、横軸はＡＰＬを、縦軸は安定した書込み放電を発生させるために必要な走査パルス電圧（振幅）を表し、また、１相駆動動作における特性を点線で、２相駆動動作における特性を破線で、３相駆動動作における特性を一点鎖線で示す。
【０１８３】
図２４に示すように、いずれの駆動動作においても、ＡＰＬが高くなるほど安定した書込み放電を発生させるために必要な走査パルス電圧（振幅）も大きくなる。これは、ＡＰＬが高いほど、点灯する放電セルの割合が増え、それにより、壁電荷の減少する割合が増えるためと考えられる。また、いずれのＡＰＬにおいても、相数を増やすほど、安定した書込み放電を発生させるために必要な走査パルス電圧（振幅）は低減される。
【０１８４】
例えば、ＡＰＬ１００％における安定した書込み放電を発生させるために必要な走査パルス電圧（振幅）は、１相駆動動作において約１４５（Ｖ）であるのに対し、２相駆動動作においては約１２５（Ｖ）と約２０（Ｖ）低減され、３相駆動動作においては約１１８（Ｖ）とさらに約７（Ｖ）低減される。
【０１８５】
このように多相駆動動作の相数を大きくするほど、安定した書込み放電を発生させるために必要な走査パルス電圧（振幅）は低減されるが、一方で、相数を増やすほど書込み期間に発生させる下りランプ波形の数は増え、書込み期間に要する時間は長くなる。そして、各サブフィールドの書込み期間に割り当てることのできる時間の上限は、１フィールド期間の長さ、サブフィールド構成（サブフィールド数、各サブフィールドの輝度重み等）、輝度倍率等によって決まるため、各書込み期間に割り当てる時間はその上限以下の長さにしなければならない。
【０１８６】
そこで、輝度重みおよび輝度倍率の変化による維持期間の長さの変化を考慮して、多相駆動動作を行うサブフィールド、多相駆動動作の相数、多相駆動動作の相数を切換えるＡＰＬを決定するものとする。
【０１８７】
そして、本実施の形態においては、例えば、輝度倍率が２倍以上となるＡＰＬ６０％未満の画像を表示するときには、第１ＳＦから第３ＳＦまでを１相駆動動作とし、第４ＳＦから第８ＳＦまでを２相駆動動作とする。そして、輝度倍率が２倍以下となるＡＰＬ６０％以上の画像を表示するときには、第１ＳＦから第５ＳＦまではＡＰＬ６０％未満の画像を表示するときと同様の駆動動作とし、第６ＳＦから第８ＳＦまでを２相駆動動作から３相駆動動作に変更するものとする。
【０１８８】
なお、走査電極駆動回路４３の設計時には、必要な走査パルス電圧（振幅）の最大値を考慮して、駆動電圧の電圧値等を設定しなければならない。そこで、必要な走査パルス電圧（振幅）の最大値にもとづき、多相駆動動作の相数を切換えるＡＰＬを設定するようにしてもよい。例えば、３相駆動動作と２相駆動動作とを切換える構成では、３相駆動動作における必要な走査パルス電圧（振幅）の最大値（図２４では、ＡＰＬ１００％のときの約１１８（Ｖ））を基準とし、２相駆動動作時の必要な走査パルス電圧（振幅）が、その基準以下となるＡＰＬ（図２４では、ＡＰＬ６０％）を考慮して、３相駆動動作と２相駆動動作とを切換えるＡＰＬを設定してもよい。
【０１８９】
以上説明したように、本実施の形態では、ＡＰＬ検出回路４７において検出されたＡＰＬにもとづき多相駆動動作を切換える構成とすることで、画像信号のＡＰＬに応じて輝度倍率を変更するような駆動を行うプラズマディスプレイ装置において、書込み期間に要する時間を抑えつつ、安定した書込み動作を行うことが可能となる。
【０１９０】
なお、本実施の形態では、１相駆動動作を行うサブフィールドはＡＰＬにかかわらず一定とし、また、低ＡＰＬと高ＡＰＬとで多相駆動動作を２相駆動動作と３相駆動動作とで切換える構成を説明したが、本発明は何らこの構成に限定されるものではない。図２５は、本発明の実施の形態２における各サブフィールドおよびＡＰＬと相数との対応の他の一例を示す対応図である。なお、図２５に示した「１」、「２」、「３」、「４」の数字はそれぞれ、１相駆動動作、２相駆動動作、３相駆動動作、４相駆動動作を表す。また、ここでは、１フィールドを８のサブフィールドで構成し、各サブフィールドはそれぞれ１、２、４、８、１６、３２、６４、１２８の輝度重みを有するものとする。例えば、図２５（ａ）に示すように、低ＡＰＬの画像を表示するときには、第１ＳＦから第５ＳＦまでを１相駆動動作とするとともに第６ＳＦから第８ＳＦまでを２相駆動動作とし、高ＡＰＬの画像を表示するときには、第１ＳＦから第３ＳＦまでおよび第６ＳＦから第８ＳＦまでは低ＡＰＬの画像を表示するときと同様の駆動動作とし、第４ＳＦおよび第５ＳＦを１相駆動動作から３相駆動動作に変更する構成としてもよい。また、図２５（ｂ）に示すように、ＡＰＬを低ＡＰＬ（例えば、ＡＰＬ４０％未満）、中ＡＰＬ（例えば、ＡＰＬ４０％以上６０％未満）、高ＡＰＬ（例えば、ＡＰＬ６０％以上）の３つの領域に分け、低ＡＰＬの画像を表示するときには、第１ＳＦから第３ＳＦまでを１相駆動動作とするとともに第４ＳＦから第８ＳＦまでを２相駆動動作とし、中ＡＰＬの画像を表示するときには、第１ＳＦから第５ＳＦまでは低ＡＰＬの画像を表示するときと同様の駆動動作とし、第６ＳＦから第８ＳＦを２相駆動動作から３相駆動動作に変更し、高ＡＰＬの画像を表示するときには、第１ＳＦから第４ＳＦまでおよび第６ＳＦは中ＡＰＬの画像を表示するときと同様の駆動動作とし、第５ＳＦを２相駆動動作から３相駆動動作に変更し、第７ＳＦおよび第８ＳＦを３相駆動動作から４相駆動動作に変更する構成としてもよい。または、さらに細かくＡＰＬを区分けする構成としてもよい。
【０１９１】
なお、本実施の形態において示したＡＰＬ値や多相駆動動作の相数、サブフィールド数、走査パルス電圧（振幅）等の具体的な数値は単なる一例であり、本発明は、何らこれらの数値に限定されるものではない。
【０１９２】
また、本実施の形態では図２２に示したように輝度倍率の最大値を５倍とする構成を説明をしたが、これは、輝度重みと維持パルスのパルス幅および維持期間に割り当てることのできる時間長等との関係において上限値が定められているに過ぎず、何らこの数値に限定されるものではない。上述した各数値や輝度倍率の最大値および輝度倍率とＡＰＬとの関係等は、パネルの特性やプラズマディスプレイ装置の仕様等に応じて最適に設定すればよい。
【０１９３】
なお、本発明における実施の形態の他の例としては、多相駆動動作を行うサブフィールド、多相駆動動作の相数およびＡＰＬのしきい値等を決定する際に、所定の条件を用いて重み付けする構成としてもよい。この重み付けの例としては、例えば、パネルの温度分布を検出しその検出結果を反映させるといったことが考えられる。
【０１９４】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（以下、「ＡＢＢＡ電極構造」と呼称する）のパネルにおいても、有効である。
【０１９５】
なお、本発明の実施の形態において示した具体的な各数値は、５０インチ、表示電極対数１０８０対のパネルの特性にもとづき設定したものであって、実施の形態における一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。また、走査ＩＣ５５の動作を説明する際に示した各制御信号の極性は、単なる一例であり、説明で示した極性とは逆の極性であってもかまわない。
【０１９６】
なお、本発明の実施の形態では、消去ランプ波形電圧を走査電極ＳＣ１〜走査電極ＳＣｎに印加する構成を説明したが、消去ランプ波形電圧を維持電極ＳＵ１〜維持電極ＳＵｎに印加する構成とすることもできる。あるいは、消去ランプ波形電圧ではなく、いわゆる細幅消去パルスにより消去放電を発生させる構成としてもよい。
【産業上の利用可能性】
【０１９７】
本発明は、大画面化、高精細化されたパネルにおいても、走査パルス電圧を高くすることなく、安定した書込み放電を発生させることができるので、プラズマディスプレイ装置およびパネルの駆動方法として有用である。
【図面の簡単な説明】
【０１９８】
【図１】本発明の実施の形態１におけるパネルの構造を示す分解斜視図
【図２】同パネルの電極配列図
【図３】本発明の実施の形態１におけるプラズマディスプレイ装置の回路ブロック図
【図４】本発明の実施の形態１における走査電極駆動回路の回路図
【図５】本発明の実施の形態１における走査電極駆動回路の走査ＩＣと走査電極との接続の様子を示す概略図
【図６】本発明の実施の形態１における走査電極群の区分けの一例を示す概略図
【図７】本発明の実施の形態１の走査電極駆動回路の１相駆動動作におけるパネルの各電極に印加する駆動電圧波形図
【図８】同走査電極駆動回路の多相駆動動作におけるパネルの各電極に印加する駆動電圧波形図
【図９】本発明の実施の形態１における全セル初期化期間の走査電極駆動回路の動作の一例を説明するためのタイミングチャート
【図１０】同走査電極駆動回路の動作の他の一例を説明するためのタイミングチャート
【図１１】本発明の実施の形態１における書込み期間の走査電極駆動回路の動作の一例を説明するためのタイミングチャート
【図１２】同走査電極駆動回路の動作の他の一例を説明するためのタイミングチャート
【図１３】本発明の実施の形態１における選択初期化期間の走査電極駆動回路４３の動作の一例を説明するためのタイミングチャート
【図１４】本発明の実施の形態１における１相駆動動作を行うときに安定した書込み放電を発生させるために必要な走査パルス電圧（振幅）と走査の順番との関係を示す概略図
【図１５】本発明の実施の形態１における多相駆動動作（３相駆動動作）を行うときに安定した書込み放電を発生させるために必要な走査パルス電圧（振幅）と走査の順番との関係を示す概略図
【図１６】本発明の実施の形態１における４相駆動動作時の駆動波形の一例を示す波形図
【図１７】本発明の実施の形態１における多相駆動動作時の相数と安定した書込み放電を発生させるために必要な走査パルス電圧（振幅）との関係を示す特性図
【図１８】本発明の実施の形態１における各サブフィールドと相数との対応の一例を示す対応図
【図１９】本発明の実施の形態１における全セル初期化期間の走査電極駆動回路の動作の他の一例を説明するためのタイミングチャート
【図２０】本発明の実施の形態１における書込み期間の走査電極駆動回路の動作の他の一例を説明するためのタイミングチャート
【図２１】本発明の実施の形態２におけるプラズマディスプレイ装置の回路ブロック図
【図２２】本発明の実施の形態２におけるＡＰＬと輝度倍率の関係を示す特性図
【図２３】本発明の実施の形態２における各サブフィールドおよびＡＰＬと相数との対応の一例を示す対応図
【図２４】本発明の実施の形態２におけるＡＰＬおよび多相駆動動作の相数と安定した書込み放電を発生させるために必要な走査パルス電圧（振幅）との関係を示す特性図
【図２５】本発明の実施の形態２における各サブフィールドおよびＡＰＬと相数との対応の他の一例を示す対応図
【符号の説明】
【０１９９】
１，２    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
４７    ＡＰＬ検出回路
５０    維持パルス発生回路
５１    初期化波形発生回路
５２    走査パルス発生回路
５３，５４    ミラー積分回路
５５    走査ＩＣ
５６    フレキシブル配線板
ＣＰ１，ＣＰ２    比較器
【図１】
2009163021.tif 000003
【図２】
2009163021.tif 000004
【図３】
2009163021.tif 000005
【図４】
2009163021.tif 000006
【図５】
2009163021.tif 000007
【図６】
2009163021.tif 000008
【図７】
2009163021.tif 000009
【図８】
2009163021.tif 000010
【図９】
2009163021.tif 000011
【図１０】
2009163021.tif 000012
【図１１】
2009163021.tif 000013
【図１２】
2009163021.tif 000014
【図１３】
2009163021.tif 000015
【図１４】
2009163021.tif 000016
【図１５】
2009163021.tif 000017
【図１６】
2009163021.tif 000018
【図１７】
2009163021.tif 000019
【図１８】
2009163021.tif 000020
【図１９】
2009163021.tif 000021
【図２０】
2009163021.tif 000022
【図２１】
2009163021.tif 000023
【図２２】
2009163021.tif 000024
【図２３】
2009163021.tif 000025
【図２４】
2009163021.tif 000026
【図２５】
2009163021.tif 000027